(57)【要約】【課題】  ドリル等の回転器具を用いたインプラント埋設穴の形成時に、サージカルガイドの使用の如何にかかわらず、所望の最大深度を超えてインプラント埋設穴が形成されるという事態を確実に防止でき、歯科医師が既に所有しているハンドピースやドリル等の回転器具に装着して使用可能で、取り扱いも容易な歯科用インプラント埋設穴形成補助装置を提供する。【解決手段】  ドリル３０等の回転器具を挿通可能な透孔（第１透孔２１、第２透孔２２）を有するストッパー部材（ガイドストッパー２０）を備える。前記ストッパー部材は、前記透孔に挿通された前記回転器具が装着されたハンドピース１０側の対向端部、または前記対向端部と前記ストッパー部材の間に配置されたスペーサ４０に当接し、インプラント埋設穴が所望の最大深度を越えないようにする。バネ５０は前記ストッパー部材を前記回転器具に沿って付勢する。【選択図】    図２
2014168553.tif 000002
【特許請求の範囲】
【請求項１】
歯科用インプラント治療において、ドリル等の回転器具を用いて患者の顎骨にインプラント埋設穴を形成する際に補助的に使用される装置であって、
前記回転器具を挿通可能な透孔を有するストッパー部材を備え、
前記ストッパー部材は、記透孔に挿通された前記回転器具が装着されたハンドピース側の対向端部、または前記対向端部と前記ストッパー部材の間に配置されたスペーサに当接することで、前記インプラント埋設穴が所望の最大深度を越えないようにすることを特徴とする歯科用インプラント埋設穴形成補助装置。
【請求項２】
前記ストッパー部材を前記回転器具に沿って付勢するバネをさらに備えており、前記バネは、前記ストッパー部材の前記透孔に前記回転器具を挿通した時に、前記ストッパー部材を前記回転器具の加工部に向かって付勢するように構成されている請求項１に記載の歯科用インプラント埋設穴形成補助装置。
【請求項３】
前記ストッパー部材が、サージカルガイドのガイド部材のガイド孔またはガイド溝に挿入及び案内可能な形状を有している請求項１または２に記載の歯科用インプラント埋設穴形成補助装置。
【請求項４】
前記サージカルガイドの前記ガイド部材が、側面に挿入口を有するガイド溝を有しており、
前記ストッパー部材が、外形サイズがそれ以外の箇所より小さい第１部分を有していると共に、前記第１部分は前記ガイド部材の前記挿入口よりも小さい請求項３に記載の歯科用インプラント埋設穴形成補助装置。
【請求項５】
前記ストッパー部材が、外形サイズが前記第１部分より大きい第２部分を有していて、前記ストッパー部材が、前記ガイド部材の前記挿入口を通って前記ガイド溝に挿入された後、前記回転器具の正回転方向に回動すること、または、前記回転器具の前記加工部に向かって移動することで、前記第２部分が前記ガイド溝に係合する請求項４に記載の歯科用インプラント埋設穴形成補助装置。
【請求項６】
前記バネの形状が、螺旋状、ワイヤ状または板状である請求項２〜５のいずれかに記載の歯科用インプラント埋設穴形成補助装置。
【請求項７】
前記バネが螺旋状とされており、前記バネの前記加工部側の端部が、前記ストッパー部材に当接して支持され、前記バネの前記加工部とは反対側の端部が、前記ハンドピース側の所定箇所によって支持されている請求項６に記載の歯科用インプラント埋設穴形成補助装置。
【請求項８】
前記バネがワイヤ状とされており、前記バネの前記加工部側の端部が、前記ストッパー部材に係止され、前記バネの前記加工部とは反対側の端部が、前記ハンドピース側の所定箇所に支持されている請求項６に記載の歯科用インプラント埋設穴形成補助装置。
【請求項９】
前記バネが板状とされており、前記バネの前記加工部側の端部が、前記ストッパー部材に当接して支持され、前記バネの前記加工部とは反対側の端部が、前記ハンドピース側の所定箇所に当接して支持されている請求項６に記載の歯科用インプラント埋設穴形成補助装置。
【請求項１０】
前記ストッパー部材の前記第１部分が、前記ストッパー部材の外側面を部分的に切除して形成された切除箇所である請求項４〜９のいずれかに記載の歯科用インプラント埋設穴形成補助装置。
【請求項１１】
前記ストッパー部材が、前記ガイド孔またはガイド溝に係合可能として突出形成された係合部を有している請求項３〜１０のいずれかに記載の歯科用インプラント埋設穴形成補助装置。
【請求項１２】
前記透孔に前記回転器具が挿通された際に、前記ストッパー部材が前記回転器具に沿ってその加工部を越えて移動するのを防止する移動防止機構をさらに備え、前記回転器具が装着されたハンドピース側の対向端部、または前記対向端部と前記ストッパー部材の間に配置されたスペーサに当接することで、前記インプラント埋設穴が所望の最大深度を越えないようにする請求項１〜１１のいずれかに記載の歯科用インプラント埋設穴形成補助装置。
【請求項１３】
歯科用インプラント治療において、ドリル等の回転器具を用いて患者の顎骨にインプラント埋設穴を形成する際に補助的に使用されるシステムであって、
請求項１〜３のいずれかに記載の歯科用インプラント埋設穴形成補助装置と、
前記歯科用インプラント埋設穴形成補助装置の前記ストッパー部材が嵌入可能なガイド孔またはガイド溝を内部に有するガイド部材と
を備えていることを特徴とする歯科用インプラント埋設穴形成補助システム。
【発明の詳細な説明】
【技術分野】
【０００１】
本発明は、歯科用インプラント埋設穴形成補助装置及びシステムに関し、さらに言えば、歯科医が患者の顎骨にインプラント埋設穴を形成する際に補助的に使用する装置及びシステムであって、所望の最大深度を超えてインプラント埋設穴が形成されるという事態を確実に防止できるものに関する。
【背景技術】
【０００２】
近年、歯の欠損部分にインプラント（人工歯根）を埋設して義歯を製作するという歯科療法（インプラント療法）が、しばしば実施されるようになっている。この療法では、ハンドピース等の穿孔装置に装着したドリルを用いて、欠損部分に対応する位置で顎骨にインプラント埋設穴を形成する。その際には、所望の位置及び方向でインプラント埋設穴が形成されるようにドリルを案内するため、サージカルガイドが使用される。サージカルガイドは、ステント、テンプレートなどとも呼ばれる。
【０００３】
サージカルガイドには、所望の位置及び方向にドリルを案内するためにガイド部材（通常は金属製である）が埋め込まれている。このため、前記ガイド部材がドリルの軸心と同心のガイド孔を有するタイプ（以下、同心型サージカルガイドという）と、前記ガイド部材がドリルの軸心から偏心し且つその軸心に平行なガイド孔を有するもの（以下、偏心型サージカルガイドという）とがある。
【０００４】
同心型サージカルガイドは、ドリル案内機能が比較的高く、インプラント埋設穴を高精度で形成できるという利点があるが、ドリルによる穿孔作業中に穿孔している箇所が歯科医師に見え難いという難点がある。偏心型サージカルガイドは、これとは反対である。すなわち、ドリルによる穿孔作業中に穿孔している箇所が歯科医師に見えやすく、穿孔作業がしやすいという利点があるが、ドリル案内機能が同心型サージカルガイドよりも低いという難点がある。
【０００５】
同心型サージカルガイドのガイド部材は、内部に円筒形のガイド孔を有するものが一般的であるが、これはドリルが直接ガイド孔に挿通されるからである。しかし、円筒形のガイド孔を形成する側壁の一部を切欠して、ガイド孔の軸心方向に延在するスリットを形成したものもある。これは、ガイド孔の側方からドリルを挿入できるようにして、ドリル挿入時に患者が口を大きく開けなくてすむようにするためである。スリット付きのガイド孔は、ガイド溝と言うことができる。
【０００６】
他方、偏心型サージカルガイドのガイド部材は、ガイド孔がドリルの軸心から偏心しており、ドリルが直接挿通されることがないため、円筒形あるいはそれに近い形である必要はない。このため、ガイド孔には、所望の位置及び方向にドリルを案内する（導く）ために設けられた部材または部品が係合される。その部材または部品が、ドリルの軸心から偏心した位置でガイド孔またはガイド溝に沿って移動することで、ドリルは所望の位置及び方向に案内される。
【０００７】
ところで、インプラント治療の結果は、インプラント埋設穴の形成状況の如何によって大きく左右される。このため、患者の顎骨に所望のインプラント埋設穴を形成するための器具（インプラント埋設穴形成器具）の改善が要望されている。事実、その要望に応じて、数多くの改善がなされて来ている。
【０００８】
例えば、特許文献１（特許第４８９１３３９号公報）には、フランジを持つ管状の案内部材を設けることで、サージカルガイドへの回転器具の挿入時に当該器具の位置を正確に制御できると共に、穿孔深度も制限できるようにした「歯科用ハンドピース」が開示されている。この歯科用ハンドピースでは、案内部材の管状部分をサージカルガイドのガイド部材のガイド孔またはガイド溝に挿入・嵌合することで、ドリル等の回転器具を所望の方向に案内し、また、前記案内部材のフランジが同ガイド部材の入口側端部に当接することで、前記回転器具による穿孔深度を制限する。つまり、穿孔深度が過大になるのを防止する。ここで使用するのは、同心型サージカルガイドである。
【０００９】
特許文献２（特表２００５−５１８８６８号公報）には、サージカルガイドに設けられたガイド部材としての位置決めバレルと、ハンドピースのヘッドに装着されたドリル整合アームとを備えた「インプラントの位置決め装置」が開示されている。ドリルは、ハンドピースのヘッドに装着されるが、その際に、ドリルは、所定距離をおいてドリル整合アームのドリル整合アームピンと平行になる。このインプラントの位置決め装置では、位置決めバレル（つまりガイド部材）の中央ボア（貫通孔）に、ドリル整合アームピンが挿入・嵌合することで、ドリルを位置決めバレルの軸心方向に案内し、ドリル整合アームピンが位置決めバレルの中央ボアに形成された深さ制御面に当接することで、ドリルによる穿孔深度を制限する。ここで使用するのは、偏心型サージカルガイドである。
【００１０】
特許文献３（特表２０１０−５１６３５６号公報）には、サージカルガイド（テンプレート）またはサージカルガイド内に固定された第１スリーブと、ドリル等の回転器具にその軸心方向に移動可能として係止された第２スリーブとを備え、第１スリーブと第２スリーブには、所定の保持力を超える力が作用すると解放される第１接続要素及び第２接続要素がそれぞれ設けられた「インプラント挿入を準備または実行する器具を備える装置」が開示されている。所定の保持力を超える力が作用するまでは、第１接続要素と第２接続要素による係合が解放されないので、回転器具に係止された第２スリーブが第１スリーブの内部をスライドする。しかし、所定の保持力を超える力が作用した後は、第１接続要素と第２接続要素の係合が解放されるため、回転器具が第２スリーブの内部をスライドする。
【００１１】
特許文献３の装置で使用する回転器具は、環状カラー等の構成を持つストップ部材をシャンク部に有しており、回転器具による穿孔深度が過大にならないようにしている。この装置では、回転器具に係止された第２スリーブを第１スリーブの貫通孔に挿入・嵌合することで、回転器具を所望の第１スリーブの軸心方向に案内し、回転器具のストップ部材が第２スリーブの上端に当接することで、回転器具による穿孔深度を制限する。つまり、穿孔深度が過大になるのを防止する。ここで使用するのは、同心型サージカルガイドである。
【先行技術文献】
【特許文献】
【００１２】
【特許文献１】特許第４８９１３３９号公報
【特許文献２】特表２００５−５１８８６８号公報
【特許文献３】特表２０１０−５１６３５６号公報
【発明の概要】
【発明が解決しようとする課題】
【００１３】
上述した特許文献１の歯科用ハンドピースでは、ハンドピースに設けられた案内部材の管状部分が、サージカルガイドのガイド部材のガイド孔またはガイド溝に挿入・嵌合することで、回転器具をガイド部材の軸心方向に案内し、案内部材に設けられたフランジが同ガイド部材の入口側端部に当接することで、回転器具による穿孔深度を制限するので、インプラント埋設穴を所望の位置及び方向において所望深さで形成することはできるが、ハンドピースの買い換えが必要であり、歯科医師が既に所有しているハンドピースを使用してインプラント療法を実施することができない、という難点がある。
【００１４】
上述した特許文献２のインプラントの位置決め装置では、サージカルガイドに設けられた位置決めバレル（ガイド部材）の中央ボア（貫通孔）に、回転器具に装着されたドリル整合アームピンが挿入・嵌合することで、ドリルを位置決めバレルの軸心方向に案内し、位置決めバレルの中央ボアに形成された深さ制御面にドリル整合アームピンが当接することで、ドリルによる穿孔深度を制限する。このため、上述した特許文献１の歯科用ハンドピースとは異なり、ハンドピースの買い換えは必要ないが、サージカルガイドに独特（専用）の構造を持つ位置決めバレルを装着する必要がある、という難点がある。また、ドリルによる最大穿孔深度を変えるためには、位置決めバレルまたはドリル整合アームピンの位置、寸法等を変える必要があり、最大穿孔深度の調整が容易ではない、という難点もある。
【００１５】
上述した特許文献３のインプラント挿入を準備または実行する器具を備える装置では、回転器具に係止された第２スリーブを第１スリーブの貫通孔に挿入・嵌合することで、回転器具を所望の第１スリーブの軸心方向に案内し、回転器具のストップ部材が第２スリーブの上端に当接することで、回転器具による穿孔深度を制限するので、回転器具の位置と方向を正確に案内することはできる。しかし、回転器具のシャンク部に設けたストップ部材が第２スリーブの端部に当接することで、回転器具による穿孔深度を制限するので、回転器具による最大穿孔深度を変えるためには、ドリル等の回転器具それ自体を変える必要がある、という難点もある。
【００１６】
さらに、重要なことは、上述した特許文献１の歯科用ハンドピース、特許文献２のインプラントの位置決め装置、及び特許文献３のインプラント挿入を準備または実行する器具を備える装置では、サージカルガイドのガイド部材のガイド孔やガイド溝へのドリル等の回転器具の挿入を容易にするといった配慮はなされていないことである。そもそも、インプラント治療は患者の口の中という狭い空間内で行うため、動作に制約があるだけでなく非常に気を遣うものであるだけでなく、「回転器具の挿入位置と挿入方向を的確に案内する」というガイド孔やガイド溝の機能上、両者の寸法差は非常に小さく設定されているので、ガイド孔やガイド溝への回転器具の挿入作業には習熟が必要である。特に、ガイド孔やガイド溝への回転器具の挿入という作業を、同心型サージカルガイドを使用してする奥歯に対して行なう場合には、困難性が高い。このため、この点の早急な改善が望まれている。
【００１７】
上述したのは、いずれもサージカルガイドを使用する場合の改善であるが、サージカルガイドの製作にかかる経費を嫌う等の理由により、サージカルガイドを使用せずにインプラント埋設穴が形成されることがある。この場合にも、所望の最大深度を超えてインプラント埋設穴が形成されるのを確実に防止することが必要なことは同じである。
【００１８】
本発明は、以上述べたような事情を考慮してなされたものであり、その目的とするところは、ドリル等の回転器具を用いたインプラント埋設穴の形成時に、サージカルガイドの使用の如何にかかわらず、所望の最大深度を超えてインプラント埋設穴が形成されるという事態を確実に防止でき、しかも、歯科医師が既に所有しているハンドピースやドリル等の回転器具に装着して使用可能で、取り扱いも容易である歯科用インプラント埋設穴形成補助装置を提供することにある。
【００１９】
本発明の他の目的は、ドリル等の回転器具を用いたインプラント埋設穴の形成時に、歯科医師がストッパー部材を前記加工部に最も近い位置に移動させるという面倒な作業が不要である歯科用インプラント埋設穴形成補助装置を提供することである。
【００２０】
本発明のさらに他の目的は、ドリル等の回転器具を用いたインプラント埋設穴の形成時に、サージカルガイドのガイド部材のガイド溝へのドリル等の回転器具の挿入が容易に行える歯科用インプラント埋設穴形成補助装置を提供することである。
【００２１】
本発明のさらに他の目的は、ドリル等の回転器具を用いたインプラント埋設穴の形成時に、所望の最大深度を超えてインプラント埋設穴が形成されるという事態を確実に防止できると共に、取り扱いも容易である歯科用インプラント埋設穴形成補助システムを提供することである。
【００２２】
ここに明記しない本発明のさらに他の目的は、以下の説明及び添付図面から明らかである。
【課題を解決するための手段】
【００２３】
（１）  本発明の第１の観点では、歯科用インプラント埋設穴形成補助装置が提供される。この歯科用インプラント埋設穴形成補助装置は、
歯科用インプラント治療において、ドリル等の回転器具を用いて患者の顎骨にインプラント埋設穴を形成する際に補助的に使用される装置であって、
前記回転器具を挿通可能な透孔を有するストッパー部材を備え、
前記ストッパー部材は、前記透孔に挿通された前記回転器具が装着されたハンドピース側の対向端部、または前記対向端部と前記ストッパー部材の間に配置されたスペーサに当接することで、前記インプラント埋設穴が所望の最大深度を越えないようにすることを特徴とするものである。
【００２４】
本発明の第１の観点による歯科用インプラント埋設穴形成補助装置は、上記のような構成を有するので、前記ストッパー部材の透孔にドリル等の回転器具を挿通してから、当該回転器具をハンドピースに装着すると、前記ストッパー部材は、前記ハンドピース側の対向端部と前記移動防止機構の間に配置される。前記ハンドピースの対向端部と前記ストッパー部材の間にスペーサが配置された場合は、前記ストッパー部材は、前記スペーサの対向端部と前記移動防止機構の間に配置される。
【００２５】
本発明の第１の観点による歯科用インプラント埋設穴形成補助装置を用いて、前記回転器具により患者の顎骨に前記インプラント埋設穴を形成する際には、前記ストッパー部材は、一方では、前記顎骨やその表面の粘膜、または、サージカルガイドのガイド部材に当接せしめられ、他方では、前記回転器具が装着された前記ハンドピース側の対向端部または前記スペーサに当接する。この当接により、前記回転器具が前記顎骨にそれ以上押し込まれることがなくなるから、前記ストッパー部材が前記対向端部または前記スペーサに当接する位置で、前記インプラント埋設穴が所望の最大深度に達するように設定することで、所望の最大深度を超えて前記インプラント埋設穴が形成されるという事態を確実に防止することができる。
【００２６】
また、前記ストッパー部材の透孔に前記回転器具を挿通してから、当該回転器具を前記ハンドピースに装着し、必要に応じて、前記ハンドピースの対向端部と前記ストッパー部材の間に前記スペーサを追加するだけで使用できるので、歯科医師が既に所有しているハンドピースやドリル等の回転器具に装着して使用可能であり、取り扱いも容易である。
【００２７】
（２）  本発明の第１の観点による歯科用インプラント埋設穴形成補助装置の好ましい例では、前記ストッパー部材を前記回転器具に沿って付勢するバネをさらに備えており、前記バネは、前記ストッパー部材の前記透孔に前記回転器具を挿通した時に、前記ストッパー部材を前記回転器具の加工部に向かって付勢するように構成される。
【００２８】
この例では、インプラント埋設穴を形成する際に、歯科医師は、前記ストッパー部材を手で移動させて前記加工部に最も近い位置に移動させたり、その位置で静止（保持）させたりする必要がないから、歯科医師は、前記回転器具が装着されたハンドピースを患者の口内に移動させて、所定位置に配置されている前記ガイド溝に前記ストッパー部材を位置合わせしてから、前記インプラント埋設穴の形成作業を行えばよい。つまり、歯科医師の両手は、前記インプラント埋設穴の形成作業中、ずっとふさがっているのが通常であるから、当該作業のたびに、わざわざ一方の手を空けて前記ストッパー部材を前記加工部に最も近い位置に移動させるのは、想像以上に面倒であるが、この面倒な作業が不要になるのである。
【００２９】
また、この例では、前記ストッパー部材が、サージカルガイドのガイド部材のガイド孔またはガイド溝に挿入及び案内可能な形状を有するのが好ましい。
【００３０】
この場合、ドリル等の回転器具を用いたインプラント埋設穴の形成時に、サージカルガイドのガイド部材のガイド孔またはガイド溝へのドリル等の回転器具の挿入が容易に行えるという利点がある。
【００３１】
本発明の第１の観点による歯科用インプラント埋設穴形成補助装置の他の好ましい例では、前記サージカルガイドの前記ガイド部材が、側面に挿入口を有するガイド溝を有しており、前記ストッパー部材が、外形サイズがそれ以外の箇所より小さい第１部分を有していると共に、前記第１部分は前記ガイド部材の前記挿入口よりも小さくされる。
【００３２】
この例では、前記ストッパー部材の前記第１部分を、前記ガイド部材の側面に形成された前記挿入口を通すことで、前記ガイド部材の前記ガイド溝にその側方から前記ストッパー部材を挿入することが可能となる、という利点がある。これは、前記ガイド溝にその入口から前記ストッパー部材を挿入するのに比べて容易な作業である。
【００３３】
また、この例では、好ましくは、前記ストッパー部材が、外形サイズが前記第１部分より大きい第２部分を有していて、前記ストッパー部材が、前記ガイド部材の前記挿入口を通って前記ガイド溝に挿入された後、前記回転器具の正回転方向に回動すること、または、前記回転器具の前記加工部に向かって移動することで、前記第２部分が前記ガイド溝に係合する。ここで言う「正回転方向」とは、前記インプラント埋設穴の形成時に前記回転器具が回転する方向（換言すれば、回転に伴って前記顎骨にさらに深く入り込む方向）を意味するが、前記回転器具の種類によっては、通常の前記回転器具の正回転方向とは逆方向になることもある。
【００３４】
この場合、二つの段階を経て前記ストッパー部材が前記ガイド溝に係合するので、前記ガイド溝による前記回転器具の案内の正確さを保ちながら、前記回転器具の挿入を容易化することができる利点がある。
【００３５】
前記ストッパー部材の前記第１部分は、前記外側面を部分的に切除して形成される切除箇所によって形成されるのが好ましい。
【００３６】
本発明の第１の観点による歯科用インプラント埋設穴形成補助装置のさらに他の好ましい例では、前記バネの形状が、螺旋状、ワイヤ状または板状とされる。
【００３７】
前記バネが螺旋状とされた場合は、前記バネの前記加工部側の端部が、前記ストッパー部材に当接して支持され、前記バネの前記加工部とは反対側の端部が、前記ハンドピース側の所定箇所によって支持されるのが好ましい。螺旋状の前記バネは、前記回転器具と同心に配置されてもよいし、前記回転器具から偏心して配置されてもよい。
【００３８】
前記バネがワイヤ状とされた場合は、前記バネの前記加工部側の端部が、前記ストッパー部材に係止され、前記バネの前記加工部とは反対側の端部が、前記ハンドピース側の所定箇所に支持されるのが好ましい。
【００３９】
前記バネが板状とされた場合は、前記バネの前記加工部側の端部が、前記ストッパー部材に当接して支持され、前記バネの前記加工部とは反対側の端部が、前記ハンドピース側の所定箇所に当接して支持されるのが好ましい。
【００４０】
本発明の第１の観点による歯科用インプラント埋設穴形成補助装置のさらに他の好ましい例では、前記ストッパー部材が、前記ガイド孔またはガイド溝に係合可能として突出形成された係合部をさらに有する。
【００４１】
この例では、前記ストッパー部材の前記第１部分を、前記ガイド部材の側面に形成された前記挿入口を通すことで、前記ガイド部材のガイド溝にその側方から前記ストッパー部材を挿入することが可能となる、という利点がある。これは、前記ガイド溝にその入口から前記ストッパー部材を挿入するのに比べて容易な作業である。
【００４２】
本発明の第１の観点による歯科用インプラント埋設穴形成補助装置のさらに他の好ましい例では、前記ガイド部材に対して前記ストッパー部材が所定距離を超えて移動するのを制限する移動制限部（例えば鍔部、突起、突条など）が、さらに設けられる。
【００４３】
この場合、前記ガイド部材に対する前記ストッパー部材の停止位置が特定されるので、前記ストッパー部材の先端部が前記顎骨またはその表面の粘膜に当接することがない。このため、前記サージカルガイドまたは前記ガイド部材に対する前記ハンドピースの位置を認識することで、前記インプラント埋設穴の形成プロセスの進行度合いを容易に確認することができる、という利点がある。
【００４４】
本発明の第１の観点による歯科用インプラント埋設穴形成補助装置のさらに他の好ましい例では、前記透孔に前記回転器具が挿通された際に、前記ストッパー部材が前記回転器具に沿ってその加工部を越えて移動するのを防止する移動防止機構をさらに備え、前記回転器具が装着されたハンドピース側の対向端部、または前記対向端部と前記ストッパー部材の間に配置されたスペーサに当接することで、前記インプラント埋設穴が所望の最大深度を越えないようにする。
【００４５】
前記移動防止機構は、好ましくは、前記加工部の端縁に前記回転器具が回転可能に当接するように前記ストッパー部材に形成された支持面とされる。
【００４６】
（３）  本発明の第２の観点では、歯科用インプラント埋設穴形成補助システムが提供される。この歯科用インプラント埋設穴形成補助システムは、
歯科用インプラント治療において、ドリル等の回転器具を用いて患者の顎骨にインプラント埋設穴を形成する際に補助的に使用されるシステムであって、
上記（１）に記載の歯科用インプラント埋設穴形成補助装置と、
前記歯科用インプラント埋設穴形成補助装置の前記ストッパー部材が嵌入可能なガイド孔またはガイド溝を内部に有するガイド部材とを備えていることを特徴とするものである。
【００４７】
本発明の第２の観点による歯科用インプラント埋設穴形成補助システムは、本発明の第１の観点による歯科用インプラント埋設穴形成補助装置に前記ガイド部材を組み合わせたものであり、また、前記ガイド部材は既存のサージカルガイドと同様に使用可能であるから、所望の最大深度を超えて前記インプラント埋設穴が形成されるという事態を確実に防止することができると共に、取り扱いも容易である。
【００４８】
本発明の第２の観点による歯科用インプラント埋設穴形成補助システムの好ましい例では、前記ストッパー部材に、外形サイズがそれ以外の箇所より小さい第１部分が形成され、前記ガイド部材に、前記ストッパー部材の前記第１部分が挿入可能な挿入口を持つガイド溝が形成されていて、前記ガイド部材にその側方から前記ストッパー部材を接近させて、前記第１部分を前記挿入口を介して前記ガイド溝の内部に挿入し、続いて、前記ガイド溝の内部で前記ストッパー部材を前記回転器具の前記加工部側に移動させることで、または、前記ガイド溝の内部で前記ストッパー部材を前記回転器具の正回転方向に回動させることで、前記ストッパー部材の前記ガイド溝への嵌入を完了可能とされる。
【００４９】
この例では、前記ストッパー部材の位置合わせ、すなわち、前記ストッパー部材の前記ガイド溝への嵌合が容易に行えるので、前記ガイド部材への前記回転器具の挿入を容易に行うことができるという利点がある。
【００５０】
（４）  本発明において、「回転器具」とは、インプラント埋設穴の形成に使用される器具を意味する。具体的には、ドリルの他、サーキュラーナイフなどの回転式歯肉切除器具、ラウンドバー、プラットホームリーマー、プロファイラーなどの骨形態修正器具、トレフィンバーなどの骨片回収器具、ボーンスプレッダーなどの骨幅径増大器具、サイナスリーマーなどの上顎洞底挙上用器具、タッピングインスツルメントなどのねじ切り形成器具、インプラントホルダー、コントラアダプターなどのインプラント埋設穴の形成やねじ切り形成と同時にインプラントを埋設できる器具、ドリルエクステンションなどのドリルその他の器具を延長するための器具などを意味する。
【発明の効果】
【００５１】
本発明の第１の観点による歯科用インプラント埋設穴形成補助装置によれば、（ａ）ドリル等の回転器具を用いたインプラント埋設穴の形成時に、サージカルガイドの使用の如何にかかわらず、所望の最大深度を超えてインプラント埋設穴が形成されるという事態を確実に防止でき、しかも、歯科医師が既に所有しているハンドピースやドリル等の回転器具に装着して使用可能で、取り扱いも容易である、という効果が得られる。
【００５２】
前記ストッパー部材を前記回転器具に沿って付勢するバネをさらに備えており、前記バネは、前記ストッパー部材の前記透孔に前記回転器具を挿通した時に、前記ストッパー部材を前記回転器具の加工部に向かって付勢するように構成される場合は、（ａ）という効果に加えて、（ｂ）ドリル等の回転器具を用いたインプラント埋設穴の形成時に、歯科医師が前記ストッパー部材を前記加工部に最も近い位置に移動させるという面倒な作業が不要になる、という効果も得られる。
【００５３】
前記ストッパー部材を前記回転器具に沿って付勢するバネをさらに備えており、前記バネは、前記ストッパー部材の前記透孔に前記回転器具を挿通した時に、前記ストッパー部材を前記回転器具の加工部に向かって付勢するように構成され、前記ストッパー部材は、サージカルガイドのガイド部材のガイド溝に挿入及び案内可能な形状を有している場合は、（ａ）及び（ｂ）という効果に加えて、（ｃ）ドリル等の回転器具を用いたインプラント埋設穴の形成時に、サージカルガイドのガイド部材のガイド溝へのドリル等の回転器具の挿入が容易に行える、という効果も得られる。
【００５４】
本発明の第２の観点による歯科用インプラント埋設穴形成補助システムによれば、（ｄ）ドリル等の回転器具を用いたインプラント埋設穴の形成時に、所望の最大深度を超えてインプラント埋設穴が形成されるという事態を確実に防止できると共に、取り扱いも容易である、という効果が得られる。
【図面の簡単な説明】
【００５５】
【図１】本発明の第１実施形態に係る歯科用インプラント埋設穴形成補助装置の全体構成を示す斜視図である。
【図２】図１の歯科用インプラント埋設穴形成補助装置の要部断面説明図である。
【図３Ａ】（ａ）は図１の歯科用インプラント埋設穴形成補助装置に使用されたガイドストッパーの斜視図、（ｂ）は同装置と共に使用されるガイド部材の斜視図である。
【図３Ｂ】（ａ）は図３Ａ（ａ）に示されたガイドストッパーの断面図、（ｂ）は図３Ａ（ｂ）に示されたガイド部材の第１挿入口と第２挿入口の寸法・角度を示す斜視図である。
【図４】図１の歯科用インプラント埋設穴形成補助装置をガイド部材のガイド溝に挿入する方法を示す斜視図である。
【図５】本発明の第２実施形態に係る歯科用インプラント埋設穴形成補助装置の全体構成を示す斜視図である。
【図６】（ａ）は図５の歯科用インプラント埋設穴形成補助装置に使用されたガイドストッパーの斜視図、（ｂ）は同装置と共に使用されるガイド部材の斜視図である。
【図７】本発明の第３実施形態に係る歯科用インプラント埋設穴形成補助装置の全体構成を示す要部断面説明図である。
【図８】図７の歯科用インプラント埋設穴形成補助装置のバネが撓んだ状態を示す要部断面説明図である。
【図９】本発明の第４実施形態に係る歯科用インプラント埋設穴形成補助装置の全体構成を示す要部断面説明図である。
【図１０】図９の歯科用インプラント埋設穴形成補助装置に使用されたバネの全体構成を示す斜視図である。
【図１１】本発明の第５実施形態に係る歯科用インプラント埋設穴形成補助装置の全体構成を示す要部断面説明図である。
【図１２Ａ】図１１の歯科用インプラント埋設穴形成補助装置に使用されたバネの装着方法を示す正面説明図である。
【図１２Ｂ】図１１の歯科用インプラント埋設穴形成補助装置に使用されたバネの装着方法を示す平面説明図である。
【図１３】本発明の第６実施形態に係る歯科用インプラント埋設穴形成補助装置の全体構成を示す斜視図である。
【図１４Ａ】図１３の歯科用インプラント埋設穴形成補助装置に使用されたバネの装着方法を示す説明図で、（ａ）はガイド体の平面図、（ｂ）はガイド体の断面図である。
【図１４Ｂ】図１３の歯科用インプラント埋設穴形成補助装置に使用されたバネの装着方法を示す説明図で、（ａ）はバネ固定具の正面図、（ｂ）はバネ固定具の断面図である。
【図１５】図１３の歯科用インプラント埋設穴形成補助装置に使用されるバネ固定具の他の構成例を示す斜視図である。
【図１６】本発明の第７実施形態に係る歯科用インプラント埋設穴形成補助装置の全体構成を示す要部断面説明図である。
【図１７】図１６の歯科用インプラント埋設穴形成補助装置に使用されたヘッドキャップの全体構成を示す斜視図である。
【図１８】本発明の第８実施形態に係る歯科用インプラント埋設穴形成補助装置の全体構成を示す要部断面説明図である。
【図１９】図１８の歯科用インプラント埋設穴形成補助装置に使用されたバネの全体構成を示す斜視図である。
【図２０】（ａ）は本発明の歯科用インプラント埋設穴形成補助装置に使用可能なガイドストッパーの第１変形例を示す斜視図、（ｂ）はこのガイドストッパーと共に使用されるガイド部材の第１変形例を示す斜視図である。
【図２１】（ａ）は本発明の歯科用インプラント埋設穴形成補助装置に使用可能なガイドストッパーの第２変形例を示す斜視図、（ｂ）はこのガイドストッパーと共に使用されるガイド部材の第２変形例を示す斜視図である。
【図２２】本発明の第９実施形態に係る歯科用インプラント埋設穴形成補助装置の全体構成を示す要部断面説明図である。
【図２３】本発明の歯科用インプラント埋設穴形成補助装置に使用可能なガイドストッパーの第３変形例を示す斜視図である。
【図２４】本発明の歯科用インプラント埋設穴形成補助装置に使用可能なガイドストッパーの第４変形例を示す斜視図である。
【図２５】本発明の第１実施形態に係る歯科用インプラント埋設穴形成補助装置に使用されたスペーサの構成を示すもので、（ａ）はその断面図、（ｂ）はその平面図である。
【図２６】本発明の第１実施形態に係る歯科用インプラント埋設穴形成補助システムによってインプラント埋設穴を形成するプロセスを示す一部断面正面図である。
【図２７】本発明の第１０実施形態に係る歯科用インプラント埋設穴形成補助装置の要部構成を示す要部斜視図である。
【図２８】図２７の歯科用インプラント埋設穴形成補助装置の使用状態を示す平面説明図で、（ａ）はガイドストッパーをガイド部材の第１挿入口を介してガイド溝に挿入した時の状態を、（ｂ）はガイド溝内でガイドストッパーを回動させた時の状態をそれぞれ示す。
【図２９】本発明の第１１実施形態に係る歯科用インプラント埋設穴形成補助装置の要部構成を示す要部斜視図である。
【図３０】本発明の第１２実施形態に係る歯科用インプラント埋設穴形成補助装置の全体構成を示す要部断面説明図である。
【発明を実施するための形態】
【００５６】
以下、添付図面を参照しながら、本発明の好適な実施形態について説明する。
【００５７】
（第１実施形態）
図１及び図２に、本発明の第１実施形態に係る歯科用インプラント埋設穴形成補助装置１の全体構成を示す。
【００５８】
両図から分かるように、本実施形態に係る歯科用インプラント埋設穴形成補助装置１は、ハンドピース１０のヘッド１１の下方においてドリル３０に移動可能に係合されたガイドストッパー２０と、ヘッド１１とガイドストッパー２０の間に配置されたバネ５０とを備えている。ガイドストッパー２０は、バネ５０の弾性力に抗して、ドリル３０に沿って上下に移動可能である。ガイドストッパー２０は、金属等の剛性材から形成されている。
【００５９】
ガイドストッパー２０は、ここでは、所望の最大深度を超えてインプラント埋設穴が形成されるのを防止するための「ストッパー部材」としての機能と、サージカルガイドのガイド溝に沿ってドリル３０をガイドするための「ガイド体」としての機能を持つ。しかし、ガイドストッパー２０は、「ストッパー部材」としての機能のみを持つようにしてもよい。この場合、ガイドストッパー２０は、「ストッパー部材」と呼ぶことができる。
【００６０】
ハンドピース１０のヘッド１１には、給水部１３が設けられている。給水部１３には、連結チューブ１４が接続可能であり、連結チューブ１４を介してドリル３０に水を供給可能である。その水をドリル３０の外周面に沿って放出・流動させることで、ドリル３０の埋設穴形成箇所に水を供給することが可能である。
【００６１】
ドリル３０は、図１及び図２では上下方向に延在しており、その上端（基端）がヘッド１１の内部に挿入・係止されている。ドリル３０は、ヘッド１１とネック１２に内蔵された公知の駆動機構（図示せず）によって、その軸心Ｘの周りに回転せしめられる。ドリル３０は、必要に応じて、サイズの異なる他のドリル等と交換可能である。
【００６２】
バネ５０は、ドリル３０の外周を取り囲むように、ドリル３０と同心状に配置されている。バネ５０は、ガイドストッパー２０を下方に付勢（押圧）する圧縮バネ（つるまきバネ）であり、ガイドストッパー２０を常時、ヘッド１１から引き離す作用をする。このため、ヘッド１１を押圧してバネ５０に外力を印加していない時は、常に、図１及び図２に示すように、ガイドストッパー２０とヘッド１１との距離は最大となる。
【００６３】
ガイドストッパー２０は、図３Ａ及び図３Ｂに示すように、全体が略円筒形であって、中心部にその長軸方向に貫通する円形の第１透孔２１及び第２透孔２２を有している。図３では、第１透孔２１が上位にあり、第２透孔２２が下位にあって、二段重ねとなっている。上位の第１透孔２１の直径の方が、下位の第２透孔２２のそれよりも大きい。第２透孔２２の直径は、ドリル３０のシャンク３２が挿通可能なように、シャンク３２の直径より少し大きく設定されている。第１透孔２１の直径は、バネ５０が嵌入可能なように、バネ５０の外径の直径より少し大きく設定されている。第１透孔２１の底面はバネ受け面２３となっている。
【００６４】
ガイドストッパー２０の上端部には、円環状の鍔部２４が形成されている。鍔部２４の外径は、その下方にある外側面２０ｃの直径よりも大きい。鍔部２４の外径は、後述するサージカルガイド１００のガイド部材１０１のテーパー状ガイド溝１０２の最大内径よりも大きい。このため、サージカルガイド１００のガイド溝１０２にガイドストッパー２０を嵌入させた時に、鍔部２４がガイド溝１０２の上端に当接する。こうして、ガイドストッパー２０がガイド溝１０２内を過剰に移動するのを防止しているのである。
【００６５】
ガイドストッパー２０の鍔部２４より下方にある外側面２０ｃは、全体がテーパー状になっていて、その上端（鍔部２４側の端）からその下端（鍔部２４側とは反対側の端）まで、外径（直径）が単調に減少している。これは、ガイドストッパー２０をサージカルガイド１００のガイド溝１０２に嵌入・嵌合しやすくするためである。
【００６６】
外側面２０ｃには、一対の切除面２０ｄが形成されている。これら二つの切除面２０ｄは、平坦で、互いに平行である。切除面２０ｄは、テーパー状の外側面２０ｃをその両側から部分的に切除することで形成されたものであり、ガイドストッパー２０の中心軸に対して対称な位置にある。図３（ａ）では、手前にある一方の切除面２０ｄのみが描かれており、他方の切除面２０ｄはガイドストッパー２０の裏側にあるため描かれていない。一対の切除面２０ｄは、それらの間の距離をテーパー状の外側面２０ｃの外径よりも小さくすることで、ガイドストッパー２０をサージカルガイド１００のガイド溝１０２にいっそう嵌入・嵌合しやすくするために設けられている。
【００６７】
ガイドストッパー２０の第１端面（上端面）２０ａは、ガイドストッパー２０が最大限に変位した時に、スペーサ４０の下端に当接する。
【００６８】
ガイドストッパー２０の第２端面（下端面）２０ｂの内側には、図３Ｂ（ａ）に明瞭に示すように、第２透孔２２と同軸の支持面２０ｅが形成されている。支持面２０ｅは、第２透孔２２の内壁面を部分的に斜めに切欠することで形成されたもので、テーパー状になっている。支持面２０ｅを設けた理由は、図２に明瞭に示すように、ガイドストッパー２０を、ドリル３０の刃部３１の基部にある鋭利な支持端３３と「線接触」させるためである。こうすると、両者の間に作用する摩擦力が非常に小さくなるため、ドリル３０の回転に伴ってガイドストッパー２０が回転する可能性が非常に小さくなるからである。
【００６９】
テーパー状の支持面２０ｅは、ガイドストッパー２０の内部すなわち、第１透孔２１及び第２透孔２２にドリル３０が挿通された際に、ガイドストッパー２０がドリル３０に沿ってその刃部３１を越えて移動するのを防止する移動防止機構を構成する。
【００７０】
支持面２０ｅを形成せずに、ガイドストッパー２０の第２端面（下端面）２０ｂを直接、ドリル３０の刃部３１の基部の端面に接触させてもよいが、そうすると「面接触」になるから、摩擦力が増加し、ドリル３０の回転に伴ってガイドストッパー２０が回転する可能性が増加する難点がある。したがって、支持面２０ｅの省略は、この難点を解消する何らかの方策が施される場合や、この難点が問題にならない構成の場合に可能である。この場合は、ガイドストッパー２０の変位がゼロの時に、第２端面２０ｂは刃部３１の基部の端面に当接する。
【００７１】
なお、ガイドストッパー２０の内部にバネ５０の一端（下端）が挿入されない構成の場合は、第１透孔２１とバネ受け面２３は省略可能である。この場合、ガイドストッパー２０の内部には、第２透孔２２のみがガイドストッパー２０の全長にわたって形成される（例えば図７の構成を参照）。
【００７２】
鍔部２４は省略可能である。その場合、テーパー状の外側面２０ｃがガイドストッパー２０の全体にわたって形成されるが、例えば、外側面２０ｃのテーパー形状を調整して、外側面２０ｃの上側（ヘッド１１の側）の端部に直径が最大となる箇所を設け、且つ、その箇所の直径がガイド溝１０２の内面の最大直径よりも大きくなるようにする（例えば図２３の構成を参照）。こうすると、ガイド溝１０２の内部を移動中のガイドストッパー２０は、前記箇所で引っかかって、それ以上の移動が防止される。
【００７３】
さらに、外側面２０ｃは、必ずしもテーパー状でなくてもよい。つまり、ストレート状でもよい（例えば図２０（ａ）の構成を参照）。この場合、直径の異なる二つの外側面があればよい。
【００７４】
ドリル３０のシャンク３２は、図２に示すように、第１透孔２１の全体を貫通し、第２透孔２２のほぼ全体を貫通している。シャンク３２の下端、すなわちシャンク３２と刃部３１の接合部は、支持面２０ｅの位置にある。
【００７５】
バネ５０の下端部は、第１透孔２１に嵌入されていると共に、第１透孔２１の底面にあるバネ受け面２３に当接している。したがって、バネ５０の下端部はバネ受け面２３によって支持されている。
【００７６】
ヘッド１１の直下には、一側面を開口した略筒状のスペーサ４０が設けられている。スペーサ４０は、簡易にインプラント埋設穴の最大深度を調整するためのものである。スペーサ４０は、図２５に示すように、略Ｃ字形（あるいは略Ｕ字形）の断面形状を持っているので、また、スペーサ４０の内径はバネ５１の直径よりも大きくされているので、歯科医師が水平に（ドリル３０に直交する方向に）押し込み、あるいは、引っ張ることで、ドリル３０をハンドピース１０から外すことなく、スペーサ４０をドリル３０の外側に容易に装着あるいは離脱することができる。
【００７７】
スペーサ４０は、金属等の剛性材から形成されているが、ここでは円環状の磁石４２を端部に備えており、磁石４２の磁気吸引力によってヘッド１１の下面に密着・保持されている。
【００７８】
バネ５０の上端部は、図２に示すように、スペーサ４０の内部を貫通して磁石４２の下面に当接し、その下面によって支持されている。バネ５０の上端部は、ヘッド１１の下面に当接するようにしてもよい。
【００７９】
インプラント埋設穴形成補助装置１により得られるインプラント埋設穴の最大深度が、所望の最大深度よりも大きい場合がしばしばある。そのような場合には、ガイドストッパー２０とヘッド１１との間に、所望の最大深度に最適な高さ（厚さ）を持つスペーサ４０を装着することで、容易に所望の最大深度を実現することができる。さらに、高さ（厚さ）が段階的に異なるスペーサ４０を複数個用意しておけば、必要に応じて最適な高さ（厚さ）のスペーサ４０を交換しながら選択使用することで、容易に、種々の所望の最大深度に対応することが可能である。スペーサ４０は省略してもよいことは言うまでもない。
【００８０】
歯科用インプラント埋設穴形成補助装置１と共に使用されるサージカルガイド１００は、図１に示したようなガイド部材１０１を有している。ガイド部材１０１は、図３Ａ（ｂ）に示したように、テーパー（上端から下端に向かうにつれて外形が減少している）の付いた略円筒形、すなわち、テーパーの付いた円筒の側面の一部を切欠してスリットを形成した形状であり、その長軸方向（上下方向）に貫通するガイド溝１０２を有している。ガイド溝１０２の内側面１０５は、ガイドストッパー２０のテーパー状外側面２０ｃと同様のテーパー状になっている。つまり、ガイド溝１０２の外径は、その上端から下端に向かって徐々に減少している。ガイドストッパー２０は、ガイド溝１０２の内部に嵌入されてから下方に移動可能である。
【００８１】
ガイド部材１０１は、その側面に、スリット状の第１挿入口１０３と第２挿入口１０４を有している。第１挿入口１０３の両側には、一対の突出部１０６が形成されていて、ガイドストッパー２０の外側面２０ｃよりも少し狭くなっている。換言すれば、テーパー付き円筒形からの切欠量が相対的に小さい部分が第１挿入口１０３であり、テーパー付き円筒形からの切欠量が相対的に大きい部分が第２挿入口１０４である。このため、ガイドストッパー２０が、第２挿入口１０４を通ってガイド溝１０２の内部に挿入された後、少し下方に移動されて第１挿入口１０３の位置に達すると、もはや第１挿入口１０３を通ってガイド溝１０２から外れることはない。ガイドストッパー２０の外側面２０ｃが一対の突出部１０６に当接するからである。
【００８２】
ここで、図３Ｂ（ｂ）に示すように、ガイド部材１０１の第１挿入口１０３の開口量（スリット幅）をｃ、第２挿入口１０４の開口量（スリット幅）をａ、ガイド部材１０１の中心軸に対する第１挿入口１０３の位置の非開口角度をα、同中心軸に対する第２挿入口１０４の位置の非開口角度をβとする。また、図３Ｂ（ａ）に示すように、ガイドストッパー２０の一対の切除面２０ｄの間の距離をｂ、テーパー状の外側面２０ｃの最小直径（外側面２０ｃの下端の直径）をｄ、テーパー状の外側面２０ｃの最大直径（外側面２０ｃの上端の直径）をｅとする。すると、これらの値は、以下のような関係を満たしている。
【００８３】
ｅ  ＞  ａ  ＞  ｄ  ＞  ｃ  ＞  ｂ                              （１）
１８０°  ＜  α  ＜  ３６０°、１８０°＜  β  ＜  ３６０°    （２）
ガイドストッパー２０の一対の切除面２０ｄのある部分を、ガイド部材１０１の相対的に小さい第１挿入口１０３にその側方から挿入できるように、また、ガイドストッパー２０の切除面２０ｄ以外の部分を、ガイド部材１０１の相対的に大きい第２挿入口１０４にその側方から挿入できるようにするためには、ｃ＞ｂ、且つ、ａ＞ｄであることが必要である。また、こうしてガイドストッパー２０をガイド部材１０１のガイド溝１０２に嵌入（係合）させた後に、ガイドストッパー２０がガイド溝１０２から側方に抜け出ないようにするためには、ｅ＞ａ、且つ、ｄ＞ｃであることが必要である。したがって、上記関係式（１）を満たすことが必要となる。
【００８４】
第１挿入口１０３の非開口角度α及びβの関係式（２）は、ガイドストッパー２０のテーパー状外側面２０ｃがガイド溝１０２によって確実に案内されるために必要なものである。
【００８５】
上記関係を満たすことで、ガイドストッパー２０を、第１挿入口１０３と第２挿入口１０４を通ってガイド部材１０１のガイド溝１０２にその側方から嵌入させると共に、ガイドストッパー２０をガイド溝１０２の長軸方向に沿って案内することが可能となる。この点について、図４を参照しながら説明する。
【００８６】
図４は、本第１実施形態に係る歯科用インプラント埋設穴形成補助装置１をガイド部材１０１のガイド溝１０２に嵌入（係合）させる方法、換言すれば、本第１実施形態に係る歯科用インプラント埋設穴形成補助システムの使用方法を示す斜視図である。
【００８７】
最初に、図４（ａ）に示すように、ガイドストッパー２０の一対の切除面２０ｄのある部分を、ガイド部材１０１の相対的に小さい第１挿入口１０３とほぼ同じ高さに配置し、第１挿入口１０３にその側方から挿入する。この時、一対の切除面２０ｄの向きを調節して、一対の切除面２０ｄが第１挿入口１０３の開口面に直交するように、換言すれば、一対の切除面２０ｄがガイドストッパー２０の移動方向（図４（ａ）の矢印の方向）に平行になるようにする。一対の切除面２０ｄがある部分の切除面２０ｄ以外の箇所の直径は、第１挿入口１０３の開口量（スリット幅）ｃより少し大きいので、こうしないと、ガイドストッパー２０の切除面２０ｄのある部分が第１挿入口１０３を通過できないからである。
【００８８】
この時、ガイドストッパー２０の切除面２０ｄのある部分の全体が、第１挿入口１０３にその側方から挿入されるようにする。また、ガイドストッパー２０の切除面２０ｄより上方の部分は、第２挿入口１０４にその側方から挿入されるようにする。これは、ガイドストッパー２０の切除面２０ｄより上方の部分は、第１挿入口１０３を通過できないからである。
【００８９】
ガイドストッパー２０のガイド溝１０２への挿入動作は、図４（ｂ）に示すように、ガイドストッパー２０の外側面２０ｃがガイド部材１０１の内側面１０５に当接するまで行えばよい。この当接により、これ以上の挿入動作が必要ないこと、換言すれば、ガイドストッパー２０のガイド溝１０２への嵌入（係合）が完了したことを確認できるので、歯科医師にとって好都合である。
【００９０】
その後、図４（ｃ）に示すように、ガイド溝１０２の内部に入ったガイドストッパー２０を、徐々に下方に移動させる。この時、ガイドストッパー２０の外側面２０ｃがガイド溝１０２の内側面１０５に接触するので、ガイドストッパー２０はガイド溝１０２によって的確に案内されることができる。その結果、ガイドストッパー２０は、ガイド溝１０２によって所望の位置で所望の方向に正確に移動するようになる。なお、ガイドストッパー２０は、そのテーパー状外側面２０ｃがガイド溝１０２の内側面１０５に接触して案内されるので、切除面２０ｄはガイドストッパー２０の案内動作に悪影響を与えない。
【００９１】
その後、インプラント埋設穴を形成するプロセスが実行されるが、ガイドストッパー２０は、その鍔部２４がガイド溝１０２の上端に当接すると、それ以上の移動ができなくなるので、ガイドストッパー２０がガイド溝１０２の内部に過剰に入り込む恐れはない。
【００９２】
ガイドストッパー２０をガイド溝１０２から引き抜くときは、ガイド溝１０２に沿ってハンドピースをそのまま上向きに移動させてから、挿通動作とは逆方向の動作をすればよい。
【００９３】
なお、本発明の第１実施形態に係る歯科用インプラント埋設穴形成補助システムは、以上のような構成を持つ本発明の第１実施形態に係る歯科用インプラント埋設穴形成補助装置１と、ガイド部材１０１とを含んで構成される。
【００９４】
次に、以上のような構成を持つ本発明の第１実施形態に係る歯科用インプラント埋設穴形成補助装置１の動作（使用状態）について、図２６を参照しながら説明する。図２６は、同装置１によってインプラント埋設穴を形成するプロセスを示す一部断面正面図である。
【００９５】
まず、歯科医師は、ハンドピース１０を保持して、図２６（ａ）に示すように、サージカルガイド１００のガイド部材１０１のガイド溝１０２に、ガイドストッパー２０を嵌入して係合させる。この動作は、図４を参照して上述したとおりである。
【００９６】
図２６（ａ）は、回転しているドリル３０の先端の刃部３１が、患者の顎骨Ｂの表面に接触する前の状態を示している。この状態では、ガイド部材２０とヘッド１１の相対位置は、図１及び図２に示した初期状態のままである。換言すれば、ガイド部材２０とヘッド１１の相対距離が最大の位置にある。
【００９７】
次に、図２６（ｂ）に示すように、歯科医師は、ドリル３０を回転させながら、ハンドピース１０のヘッド１１に下向きの押圧力を加え、除去した粘膜Ｍを透過してから、少しずつ顎骨Ｂを穿孔していく。図２６（ｂ）において、Ｈは形成途中のインプラント埋設穴を示す。この時、ガイドストッパー２０の鍔部２４の下端は、ガイド部材１０１の上端に当接しており、したがって、ガイドストッパー２０はそれ以上、下降することができない。その後は、ヘッド１１が、バネ５０を撓ませながら押し下げられる。
【００９８】
歯科医師は、ドリル３０を回転させながら、さらに、ヘッド１１に下向きの押圧力を加えて顎骨Ｂの穿孔を進めていくが、やがて、図２６（ｃ）に示すように、ヘッド１１の下面に装着されたスペーサ４０の下端が、それに対向するガイドストッパー２０の第１端面２０ａ（上端面）に当接する。この時、ヘッド１１の下面とそれに対向するガイドストッパー２０の第１端面２０ａとの間の距離は、スペーサ４０の高さ（厚さ）に等しくなっている。
【００９９】
図２６（ｃ）の状態になると、押圧力を加えても、ハンドピース１０はそれ以上の下降ができないので、埋設穴Ｈの最大深度は、スペーサ４０の高さ（厚さ）とドリル３０の全長とで規定される深度に等しくなる。したがって、顎骨Ｂの穿孔がそれ以上に進行することがなく、埋設穴Ｈの所望の最大穿度を越えて穿孔が進行するのを確実に防止することができる。
【０１００】
本発明の第１実施形態に係る歯科用インプラント埋設穴形成補助装置１は、上述したような構成を有するので、ガイドストッパー２０の長軸方向にドリル３０を挿通してから、ドリル３０をハンドピース１０に装着すると、バネ５０により、ガイドストッパー２０はドリル３０の刃部３１に向かって付勢される。ドリル３０は、刃部３１の径がシャンク３２の径よりも大きいので、ガイドストッパー２０は、ドリル３０の刃部３１に最も近い位置（ハンドピース１０からは最も遠い位置）に保持される。
【０１０１】
このため、ドリル３０の刃部３１をガイド部材１０１のガイド溝１０２に挿通させる際に、歯科医師は、ガイドストッパー２０を手で移動させて刃部３１に最も近い位置に移動させたり、静止させたりする必要がない。歯科医師は、ドリル３０が装着されたハンドピース１０を患者の口内に移動させて、所定位置に配置されているサージカルガイド１００のガイド部材１０１のガイド溝１０２にガイドストッパー２０を位置合わせするだけでよく、両手がふさがっている歯科医師が一方の手を空けてガイドストッパー２０を移動させるという面倒な作業を省略できる。
【０１０２】
また、ガイドストッパー２０のテーパー状の（つまり長軸方向に沿って外形サイズが変化する）外側面２０ｃは、外径サイズが最も小さい一対の切除面２０ｄのある箇所（第１部分に対応する）が、ガイド部材２０の第１挿入口１０３より小さいサイズであるため、ガイド部材１０１の側面にある第１挿入口１０３を通って前記箇所をガイド溝１０２に挿入可能であると共に、切除面２０ｄのある箇所の向きを挿入時の向きとは異ならせれば、ガイド溝１０２への挿入後にガイドストッパー２０が第１挿入口１０３から外れることもない。また、この時、ガイドストッパー２０の外側面２０ｃの切除面２０ｄより上方にある箇所は、ガイド部材２０の第２挿入口１０４より小さいサイズであるため、ガイド部材１０１の側面にある第２挿入口１０４を通って前記箇所をガイド溝１０２に挿入可能である。よって、ガイド溝１０２に対するガイドストッパー２０の位置合わせ（嵌合）、換言すれば、ガイド部材１０１へのドリル３０の挿通を容易に行うことができる。
【０１０３】
また、ガイドストッパー２０の上端に形成された、外径サイズが最も大きい鍔部２４（第２部分に対応する）は、ガイド溝１０２より大きいため、ガイドストッパー２０の長軸方向への移動は鍔部２４（第２部分）によって制限される。このため、ガイドストッパー２０ひいてはドリル３０の過剰な移動が確実に防止され、したがって、適切な高さ（厚さ）のスペーサ４０を配置することによって、所望の最大深度を超えてインプラント埋設穴Ｈが形成されるという事態を確実に防止できる。
【０１０４】
以上述べたように、本第１実施形態に係る歯科用インプラント埋設穴形成補助装置１を使用すれば、所望の最大深度を超えてインプラント埋設穴Ｈが形成されるという事態を確実に防止できるだけでなく、ドリル３０等の回転器具を用いたインプラント埋設穴Ｈの形成時に、サージカルガイド１００のガイド部材１０１への前記回転器具の挿通を容易に行うことができる。
【０１０５】
また、ガイドストッパー２０の長軸方向にドリル３０等の回転器具を挿通してから、当該回転器具をハンドピース１０に装着するだけでよいので、歯科医師が既に所有しているハンドピースやドリル等の回転器具に装着して使用できると共に、取り扱いも容易である。
【０１０６】
さらに、歯科用インプラント埋設穴形成補助装置１は、ガイドストッパー２０とバネ５０を構成要素としていて、ガイドストッパー２０にその長軸方向に沿って外形サイズが変化する外側面２０ｃを形成し、外側面２０ｃの外径サイズが最も小さい、一対の切除面２０ｄのある箇所（第１部分に対応する）を、ガイド部材１０１の第１挿入口１０３より小さいサイズとするだけで足りるので、簡単な構成であるだけでなく、特別に高価な材料や特別な製法を使用する必要もないから、低いコストで製造することができる。
【０１０７】
ガイドストッパー２０とガイド部材１０１とバネ５０の材料は、特に限定されない。必要な剛性が得られるものであれば、アルミニウム、ステンレス等の任意の金属を使用できるし、十分な強度があれば、合成樹脂も使用可能である。この点は、以下の各実施形態についても同様である。
【０１０８】
なお、本実施形態では、ガイド部材１０１の透孔が、側面に挿入口を持つガイド溝１０２になっているが、これに限定されない。ガイド部材１０１の透孔が、側面に挿入口を持たないもの（ガイド孔）になっているものを使用してもよい。この場合、ガイドストッパー２０はガイド部材の透孔（ガイド孔）にその上端から挿入されることになる。これは以下の第２実施形態以降においても同様である。
【０１０９】
本明細書では、説明の便宜のために、歯科用インプラント埋設穴形成補助装置１の構成を、その回転器具(例えばドリル３０)を上下方向に配置した状態として説明し、下顎の骨Ｂにインプラント埋設穴Ｈを形成すると仮定して説明している。しかし、本発明はこれに限定されるわけではない。上顎の骨にインプラント埋設穴を形成する場合では、ここにした説明と図面とは上下が反転して、ハンドピースが下位に位置し、ドリル等の回転器具が上位に位置することは言うまでもない。
【０１１０】
（第２実施形態）
図５及び図６は、本発明の第２実施形態に係る歯科用インプラント埋設穴形成補助装置１Ａの全体構成を示す。
【０１１１】
同図から分かるように、本第２実施形態に係るインプラント埋設穴形成補助装置１Ａの構成は、ガイドストッパー２０に代えてガイドストッパー２０Ａを設けられている点を除き、上述した第１実施形態の装置１と同じ構成である。したがって、構成が同一の部分については、同一の構成要素には同一の符号を付してその説明を省略し、相違点のみについて説明する。
【０１１２】
ガイドストッパー２０Ａは、図６（ａ）に明瞭に示すように、略円筒形の本体部２６Ａと、本体部２６Ａの側面から突出形成された係合部２５Ａとを有している。本第２実施形態では、サージカルガイド１００Ａのガイド部材１０１Ａが偏心型であるため、サージカルガイド１００Ａのガイド部材１０１Ａのガイド溝１０２Ａに係合せしめられるのは、略円筒形の本体部２６Ａではなく、帯状の係合部２５Ａである。
【０１１３】
本体部２６Ａは、上述した第１実施形態と同様に、内部に第１透孔２１Ａと第２透孔２２Ａとバネ受け面２３Ａを有し、上端に第１端面２０Ａａ、下端に第２端面２０Ａｂを有している。
【０１１４】
ガイド部材１０１Ａのガイド溝１０２Ａに係合される係合部２５Ａは、連結部２７Ａによって本体部２６Ａの側面に接合された構造になっており、全体がドリル３０に平行に延在する帯状である。係合部２５Ａは、断面が略台形であり、その下端部の両側に一対の平坦な切除面２０Ａｄが形成されている。係合部２５Ａは、ストレート状であり、上記第１実施形態のようなテーパーは付いていない。係合部２５Ａの上端部には、止めネジ２９Ａによってストッパー２８Ａが固定されている。これは、係合部２５Ａすなわちガイドストッパー２０Ａが、ガイド溝１０２Ａの内部を過剰に移動しないようにするためである。また、係合部２５Ａの側面には、ガイドストッパー２０Ａの移動量が分かるようにするために、目盛り２５Ａａが形成されている。
【０１１５】
ガイド部材１０１Ａは、その側面に、スリット状の第１挿入口１０３Ａと第２挿入口１０４Ａを有している。第１挿入口１０３Ａと第２挿入口１０４Ａは、いずれもストレート状であり、上記第１実施形態のようなテーパーは付いていない。第１挿入口１０３Ａの両側には、一対の突出部１０６Ａが形成されていて、ガイドストッパー２０Ａの係合部２５Ａの幅よりも少し狭くなっている。換言すれば、帯状体からの切欠量が相対的に小さい部分が第１挿入口１０３Ａであり、帯状体からの切欠量が相対的に大きい部分が第２挿入口１０４Ａである。このため、ガイドストッパー２０Ａが、第２挿入口１０４Ａを通ってガイド溝１０２Ａの内部に挿入された後、少し下方に移動されて第１挿入口１０３Ａの位置に達すると、もはや第１挿入口１０３Ａを通ってガイド溝１０２Ａから外れることはない。係合部２５Ａの両端部が一対の突出部１０６Ａに当接するからである。
【０１１６】
ガイドストッパー２０Ａは、第２挿入口１０４Ａを通ってガイド部材１０１Ａのガイド溝１０２Ａにその側方から嵌入させることが可能である。すなわち、最初に、ガイドストッパー２０Ａの一対の切除面２０Ａｄのある部分を、ガイド部材１０１Ａの相対的に小さい第１挿入口１０３Ａに挿入する。（相対的に大きい第２挿入口１０４Ａにも挿入可能である。）この時、一対の切除面２０Ａｄの向きを調節して、一対の切除面２０Ａｄが第１挿入口１０３Ａを通ってガイド溝１０２Ａの内側面１０５Ａに直交するように、換言すれば、一対の切除面２０Ａｄがガイドストッパー２０Ａの移動方向にほぼ平行になるようにする。これは、一対の切除面２０Ａｄがある部分の切除面２０Ａｄ以外の箇所は、一対の切除面２０Ａｄ間の距離より少し大きいので、こうすることで、第１挿入口１０３Ａの挿通が可能になるからである。
【０１１７】
この時、係合部２５Ａは、第１挿入口１０３Ａには挿入できないので、第１挿入口１０３Ａには接触しないように、ガイドストッパー２０Ａとガイド部材１０１Ａの相対高さを調整する。
【０１１８】
ガイドストッパー２０Ａの係合部２５Ａの一対の切除面２０Ａｄがある部分の挿通動作は、係合部２５Ａの外側面がガイド部材１０１Ａの内側面１０５Ａに当接するまで行えばよい。この当接により、これ以上の挿通動作が必要ないこと、換言すれば、ガイドストッパー２０Ａのガイド溝１０２Ａへの嵌入が完了したことを確認できるので、歯科医師にとって好都合である。
【０１１９】
その後、第１挿入口１０３Ａを通ってガイド溝１０２Ａの内部に入った、係合部２５Ａの一対の切除面２０Ａｄのある部分を、徐々に下方に移動させる。この時、切除面２０Ａｄがある部分の切除面２０Ａｄ以外の箇所の幅は、切除面２０Ａｄ間の距離より少し大きいので、この箇所がガイド溝１０２Ａの内側面１０５Ａに接触し、係合部２５Ａひいてはガイドストッパー２０Ａは、ガイド溝１０２Ａによって的確に案内されることができる。その結果、ガイドストッパー２０Ａは、ガイド溝１０２Ａによって所望の位置で所望の方向に正確に移動するようになる。切除面２０Ａｄは、ガイドストッパー２０Ａの案内動作に悪影響を与えない。
【０１２０】
その後、インプラント埋設穴を形成するプロセスが実行されるが、ガイドストッパー２０Ａは、そのストッパー２８Ａがガイド溝１０２Ａの上端に当接すると、それ以上の移動ができなくなるので、必要に応じて適切な高さのスペーサ４０を用いることで、インプラント埋設穴の最大深度が過大になる恐れがなくなる。
【０１２１】
ガイドストッパー２０Ａの係合部２５Ａをガイド溝１０２Ａから引き抜くときは、ガイド溝１０２Ａに沿ってハンドピース１０をそのまま上向きに移動させてから、挿通動作とは逆方向の動作をすればよい。
【０１２２】
なお、本発明の第２実施形態に係る歯科用インプラント埋設穴形成補助システムは、以上のような構成を持つ本発明の第２実施形態に係る歯科用インプラント埋設穴形成補助装置１Ａと、ガイド部材１０１Ａとを含んで構成される。
【０１２３】
以上のような構成を持つ本発明の第２実施形態に係る歯科用インプラント埋設穴形成補助装置１Ａの動作（使用状態）は、図２６に示したものと同じであるから、その説明は省略する。
【０１２４】
本第２実施形態の歯科用インプラント埋設穴形成補助装置１Ａは、上述したような構成を有するので、ガイドストッパー２０Ａの長軸方向にドリル３０を挿通してから、ドリル３０をハンドピース１０に装着すると、バネ５０により、ガイドストッパー２０Ａはドリル３０の刃部３１に向かって付勢される。ドリル３０は、刃部３１の径がシャンク３２の径よりも大きいので、ガイドストッパー２０は、ドリル３０の刃部３１に最も近い位置（ハンドピース１０からは最も遠い位置）に保持される。
【０１２５】
このため、ドリル３０の刃部３１を位置決めするために、ガイドストッパー２０Ａをガイド部材１０１Ａのガイド溝１０２Ａに挿通させる際に、歯科医師は、ガイドストッパー２０Ａを手で移動させて刃部３１に最も近い位置に移動させたり、静止させたりする必要がない。歯科医師は、ドリル３０が装着されたハンドピース１０を患者の口内に移動させて、所定位置に配置されているサージカルガイド１００Ａのガイド部材１０１Ａのガイド溝１０２Ａにガイドストッパー２０Ａを位置合わせするだけでよく、両手がふさがっている歯科医師が一方の手を空けてガイドストッパー２０Ａを移動させるという面倒な作業を省略できる。
【０１２６】
また、ガイドストッパー２０Ａの係合部２５Ａのストレート状の（つまり長軸方向に沿って外形サイズが変化しない）外側面は、外径サイズが最も小さい、一対の切除面２０Ａｄのある箇所（第１部分に対応する）が、ガイド部材１０１Ａの第１挿入口１０３Ａと第２挿入口１０４Ａより小さいサイズであるため、ガイド部材１０１Ａの側面にある第１挿入口１０３Ａを通って前記箇所をガイド溝１０２Ａに挿入可能であると共に、係合部２５Ａを下方に移動することにより、ガイド溝１０２Ａへの挿入後にガイドストッパー２０Ａが第１挿入口１０３Ａから外れることもない。よって、ガイド溝１０２Ａに対するガイドストッパー２０Ａの位置合わせ（嵌合）、換言すれば、ガイド部材１０１Ａによるドリル３０の位置決めを容易に行うことができる。
【０１２７】
また、ガイドストッパー２０Ａの上端に形成された、サイズが最も大きいストッパー２８Ａは、ガイド溝１０２Ａより大きいため、ガイドストッパー２０Ａの移動はストッパー２８Ａ及びスペーサ４０によって制限される。このため、ガイドストッパー２０Ａひいてはドリル３０の過剰な移動が確実に防止され、したがって、所望の最大深度を超えてインプラント埋設穴Ｈが形成されるという事態を確実に防止できる。
【０１２８】
以上述べたように、本第２実施形態に係る歯科用インプラント埋設穴形成補助装置１Ａを使用すれば、所望の最大深度を超えてインプラント埋設穴Ｈが形成されるという事態を確実に防止できるだけでなく、ドリル３０等の回転器具を用いたインプラント埋設穴Ｈの形成時に、サージカルガイド１００Ａのガイド部材１０１Ａへのドリル等の回転器具の位置決めを容易に行うことができる。
【０１２９】
また、ガイドストッパー２０Ａの本体部２６Ａの長軸方向にドリル３０等の回転器具を挿通してから、当該回転器具をハンドピース１０に装着するだけでよいので、歯科医師が既に所有しているハンドピースやドリル等の回転器具に装着して使用できると共に、取り扱いも容易である。
【０１３０】
さらに、歯科用インプラント埋設穴形成補助装置１Ａは、ガイドストッパー２０Ａとバネ５０を構成要素としていて、ガイドストッパー２０Ａの係合部２５Ａにその長軸方向に沿って外形サイズが変化する外側面を形成し、外側面の外径サイズが最も小さい、一対の切除面２０Ａｄのある箇所（第１部分に対応する）を、ガイド部材１０１Ａの第１挿入口１０３Ａ及び第２挿入口１０４Ａより小さいサイズとするだけで足りるので、簡単な構成であるだけでなく、特別に高価な材料や特別な製法を使用する必要もないから、低いコストで製造することができる。
【０１３１】
（第３実施形態）
図７は、本発明の第３実施形態に係る歯科用インプラント埋設穴形成補助装置１Ｂの全体構成を示す。
【０１３２】
本実施形態に係るインプラント埋設穴形成補助装置１Ｂは、ガイドストッパー２０に代えてガイドストッパー２０Ｂが設けられており、また、円筒形のバネ５０に変えてワイヤ状のバネ５０Ｂが使用されていて、そのバネ５０Ｂがバネ装着部材８０Ｂを用いてハンドピース１０のヘッド１１の下面に装着（固定）されている点を除き、上述した第１実施形態の装置１と同じ構成である。したがって、構成が同一の部分については、同一の構成要素には同一の符号を付してその説明を省略し、相違点のみについて説明する。
【０１３３】
ガイドストッパー２０Ｂの中心には、全長にわたって、ドリル３０のシャンク３２が貫通する透孔２１Ｂが形成されており、上述した第１実施形態のインプラント埋設穴形成補助装置１のガイドストッパー２０のようにサイズの異なる第１透孔２１と第２透孔２２を有していない。これはガイドストッパー２０Ｂでバネ５０Ｂを受ける必要がないからである。ガイドストッパー２０Ｂの構成は、これ以外は、上述した第１実施形態の装置１のガイドストッパー２０と同じである。
【０１３４】
ワイヤ状のバネ５０Ｂは、図７に示すように、その下端が略Ｕ字状に屈曲せしめられていて、ガイドストッパー２０Ｂに形成されたＬ字状の貫通孔に挿通・係止されている。バネ５０Ｂの上端は、下端と同様に略Ｕ字状に屈曲せしめられていて、バネ装着部材８０Ｂに形成されたＬ字状の貫通孔に挿通・係止されている。
【０１３５】
バネ５０Ｂとしては、公知のバネ鋼による弾性ワイヤが使用可能であるが、超弾性合金製の超弾性ワイヤも使用可能である。
【０１３６】
バネ装着部材８０Ｂは、ワイヤ状のバネ５０Ｂをドリル３０のシャンク３２に装着するために設けられている。上述した第１実施形態のインプラント埋設穴形成補助装置１では、円筒形のバネ５０がシャンク３２の外側に巻き付けられた形で、且つシャンク３２と同心となるように装着されていたが、本第３実施形態では、ワイヤ状のバネ５０Ｂを使用するため、このような構成をとることができない。そこで、バネ装着部材８０Ｂを設け、これをハンドピース１０のヘッド１１の下面に装着するようにしたものである。
【０１３７】
バネ装着部材８０Ｂは、バネ５０Ｂを挿入・係止できる程度の肉厚を持つ円筒形で、そのヘッド１１側の端部には、円筒形の磁石８２が内蔵されている。バネ装着部材８０Ｂは、図７に示すように、その透孔８１にシャンク３２を挿通させた状態で、磁石８２の磁気吸引力によってヘッド１１の下面に装着される。
【０１３８】
バネ５０Ｂの弾性力に抗してガイドストッパー２０Ｂが上方に移動した時は、バネ５０Ｂは図８のように外側に撓む。外力が作用しない限り、ガイドストッパー２０Ｂは常時、バネ５０Ｂにより図７の初期状態に保持される。これは、上述した第１実施形態の装置１のガイドストッパー２０と同じである。
【０１３９】
本第３実施形態に係る歯科用インプラント埋設穴形成補助装置１Ｂは、上述した第１実施形態の歯科用インプラント埋設穴形成補助装置１と同じ効果が得られることが明らかである。
【０１４０】
（第４実施形態）
図９は、本発明の第３実施形態に係る歯科用インプラント埋設穴形成補助装置１Ｃの全体構成を示す。
【０１４１】
本実施形態に係るインプラント埋設穴形成補助装置１Ｃは、ワイヤ状のバネ５０Ｃそれ自体に形成された係止部５１Ｃを用いてハンドピース１０のヘッド１１の直下でシャンク３２に係止されている点を除き、上述した第３実施形態の装置１Ｂと同じ構成である。したがって、構成が同一の部分については、同一の構成要素には同一の符号を付してその説明を省略し、相違点のみについて説明する。
【０１４２】
上述した第３実施形態の装置１Ｂでは、バネ装着部材８０Ｂを使用してワイヤ状のバネ５０Ｂをヘッド１１の下面に装着（固定）していたが、本実施形態では、バネ装着部材８０Ｂに代えて、図１０に示すような、ヘッド１１側の端部に形成された円形の係止部５１Ｃを使用している。係止部５１Ｃは、バネ５０Ｂの一方の端部を円形に湾曲させることで容易に形成される。これにより、構成が簡単になる利点が得られる。
【０１４３】
係止部５１Ｃがヘッド１１の下面に当接しているため、バネ５０Ｃの弾性力に抗してガイドストッパー２０Ｂが上方に移動した時は、バネ５０Ｃは図８の場合と同様に外側に撓む。外力が作用しない限り、ガイドストッパー２０Ｂは常時、バネ５０Ｃにより図９の初期状態に保持される。これは、上述した第１実施形態の装置１のガイドストッパー２０と同じである。
【０１４４】
本第４実施形態に係る歯科用インプラント埋設穴形成補助装置１Ｃは、上述した第１実施形態の歯科用インプラント埋設穴形成補助装置１と同じ効果が得られることが明らかである。
【０１４５】
（第５実施形態）
図１１は、本発明の第５実施形態に係る歯科用インプラント埋設穴形成補助装置１Ｄの全体構成を示す。
【０１４６】
本実施形態に係るインプラント埋設穴形成補助装置１Ｄは、ワイヤ状のバネ５０Ｄが、その中央部をハンドピース１０のネック１２に巻き付けることで係止（装着）されている点を除き、上述した第３実施形態の装置１Ｂと同じ構成である。したがって、構成が同一の部分については、同一の構成要素には同一の符号を付してその説明を省略し、相違点のみについて説明する。
【０１４７】
上述した第３実施形態の装置１Ｂでは、バネ装着部材８０Ｂを使用してワイヤ状のバネ５０Ｂをヘッド１１の下面に装着（固定）していたが、本実施形態では、バネ装着部材８０Ｂを使用せず、図１２Ａに示すように、バネ５０Ｂの中央部をハンドピース１０のネック１２に一回巻き付け、その部分を係止部５１Ｄとしている。これにより、構成が簡単になる利点が得られる。
【０１４８】
係止部５１Ｄの大きさはヘッド１１より小さいが、係止部５１Ｄそれ自体が弾性を持つので、少し手で広げれば、ヘッド１１の外側を通ってネック１２の所定箇所に装着することが可能である。
【０１４９】
係止部５１Ｄがネック１２に係止されているため、バネ５０Ｄの弾性力に抗してガイドストッパー２０Ｃが上方に移動した時は、バネ５０Ｄは図８の場合と同様に外側に撓む。外力が作用しない限り、ガイドストッパー２０Ｃは常時、バネ５０Ｄにより図１１の初期状態に保持される。これは、上述した第１実施形態の装置１のガイドストッパー２０と同じである。
【０１５０】
本実施形態で使用されているガイドストッパー２０Ｃは、第１端面２０ａ側に磁石２５が内蔵されている点を除き、上述した第３実施形態の装置１Ｂのガイドストッパー２０Ｂと同じであるから、その説明は省略する。
【０１５１】
ガイドストッパー２０Ｃに対するバネ５０Ｄの係止方法は、図１１及び図１２Ｂに示す通りである。すなわち、ワイヤ状のバネ５０Ｄは、その両端が略Ｕ字状に屈曲せしめられていて、ガイドストッパー２０Ｃに形成された略Ｌ字状の貫通孔に挿通・係止されている。こうすることで、バネ５０Ｄの端部付近は、図１１に波線で示したように、支障なく外側に撓むことができる。
【０１５２】
本第５実施形態に係る歯科用インプラント埋設穴形成補助装置１Ｄは、上述した第１実施形態の歯科用インプラント埋設穴形成補助装置１と同じ効果が得られることが明らかである。
【０１５３】
（第６実施形態）
図１３は、本発明の第６実施形態に係る歯科用インプラント埋設穴形成補助装置１Ｅの全体構成を示す。
【０１５４】
本実施形態に係るインプラント埋設穴形成補助装置１Ｅは、ワイヤ状のバネ５０Ｅが、その中央部をハンドピース１０のネック１２に掛け渡してから、バネ固定具６０で固定されている点を除き、上述した第３実施形態の装置１Ｂと同じ構成である。したがって、構成が同一の部分については、同一の構成要素には同一の符号を付してその説明を省略し、相違点のみについて説明する。
【０１５５】
上述した第３実施形態の装置１Ｂでは、バネ装着部材８０Ｂを使用してワイヤ状のバネ５０Ｂをヘッド１１の下面に装着（固定）していたが、本実施形態では、バネ装着部材８０Ｂを使用せず、図１３に示すように、バネ５０Ｅの中央部をハンドピース１０のネック１２に掛け渡し、その掛け渡した部分をバネ固定具６０で固定している。バネ５０Ｅは、上述した第５実施形態の装置１Ｄのように、ネック１２に巻き付けられてはいない。
【０１５６】
バネ固定具６０は、図１４Ｂに示す構成を持つ。すなわち、バネ固定具６０は、図１４Ｂ（ａ）に示すように、帯状の剛性材の中央部をネック１２の外面に沿って湾曲させたものであり、その両端部をその反対方向に少し湾曲させてＯリング係止部６２としている。ワイヤ状のバネ５０Ｅは、図１４Ｂ（ｂ）に示すように、バネ固定具６０の中央部に形成された窪み６３に埋め込まれた状態で、ネック１２に係止されている。図１３に示したように、バネ５０Ｅの中央部をネック１２にその上方から掛け渡した後、その上にバネ固定具６０を載せ、二つのＯリング係止部６２にネック１２の下方からＯリング６１を係止すれば、装着完了である。
【０１５７】
バネ５０Ｅの中央部がネック１２に係止されているため、バネ５０Ｅの弾性力に抗してガイドストッパー２０Ｃが上方に移動した時は、バネ５０Ｅは図８の場合と同様に外側に撓む（図１４Ａ（ｂ）を参照）。外力が作用しない限り、ガイドストッパー２０Ｃは常時、バネ５０Ｅにより図１３の初期状態に保持される。これは、上述した第１実施形態の装置１のガイドストッパー２０と同じである。
【０１５８】
本実施形態で使用されているガイドストッパー２０Ｃは、第１端面２０ａに磁石２５が内蔵されている点を除き、上述した第３実施形態の装置１Ｂのガイドストッパー２０Ｂと同じであるから、その説明は省略する。
【０１５９】
ガイドストッパー２０Ｃに対するバネ５０Ｅの係止方法は、図１４Ａに示す通りである。すなわち、ワイヤ状のバネ５０Ｅは、その両端が略Ｌ字状に屈曲せしめられていて、ガイドストッパー２０Ｃに形成された略Ｌ字状の貫通孔に挿通・係止されている。こうすることで、バネ５０Ｅの端部付近は、図１４Ａ（ｂ）に波線で示したように、支障なく外側に撓むことができる。
【０１６０】
本第６実施形態に係る歯科用インプラント埋設穴形成補助装置１Ｅは、上述した第１実施形態の歯科用インプラント埋設穴形成補助装置１と同じ効果が得られることが明らかである。
【０１６１】
図１５に示したバネ固定具６０Ａは、バネ固定具６０の変形構成例である。ゴム等の弾性を持つ材料で形成され、中央部に略Ｕ字状のバネ挿通孔６３を有している。ワイヤ状のバネ５０Ｅは、バネ固定具６０Ａのバネ挿通孔６３に挿通された状態で、ネック１２に係止される。この場合、Ｏリング６１は使用されない。このように、バネ固定具には種々の変形構成例が考えられる。
【０１６２】
（第７実施形態）
図１６は、本発明の第７実施形態に係る歯科用インプラント埋設穴形成補助装置１Ｆの全体構成を示す。
【０１６３】
本実施形態に係るインプラント埋設穴形成補助装置１Ｆは、ワイヤ状のバネ５０Ｆが、ヘッドキャップ７０によってハンドピース１０のヘッド１１に固定されている点を除き、上述した第３実施形態の装置１Ｂ（図７参照）と同じ構成である。したがって、構成が同一の部分については、同一の構成要素には同一の符号を付してその説明を省略し、相違点のみについて説明する。
【０１６４】
上述した第３実施形態の装置１Ｂでは、バネ装着部材８０Ｂを使用してワイヤ状のバネ５０Ｂをヘッド１１の下面に装着（固定）していたが、本実施形態では、バネ装着部材８０Ｂを使用せず、図１６に示すように、バネ５０Ｆの中央部を、ヘッド１１に固定されたヘッドキャップ７０に掛け渡している。バネ５０Ｆは、上述した第５実施形態の装置１Ｄのように、ヘッド１１に巻き付けられてはいない。
【０１６５】
ヘッドキャップ７０は、金属等の剛性材から形成されており、図１７に示す構成を持つ。すなわち、ヘッドキャップ７０は、略Ｕ字状の第１係合部７０ａと、直線状の第２係合部７０ｂと、第１係合部７０ａと第２係合部７０ｂを連結する直線状の連結部７０ｃとを有している。
【０１６６】
第２係合部７０ｂには、ドリル３０のシャンク３２を挿通させる透孔７２が形成されており、透孔７２の内側には、透孔７２と同心状に円環状の磁石７１が装着されている。図１７に示すように、第２係合部７０ｂひいてはヘッドキャップ７０は、磁石７１の磁気吸引力によってヘッド１１の下面に係止される。この時、連結部７０ｃはヘッド１１の外側面に沿って延在し、第１係合部７０ａはヘッド１１の上面に沿って延在する。
【０１６７】
第１係合部７０ａは、先端に一対のＯリング係止部７１を有している。第１係合部７０ａは、ヘッド１１の中央にある円柱形の突出部１１ａを挟むようにヘッド１１に係止されるので、一対のＯリング係止部７３は突出部１１ａに対して連結部７０ｃとは反対側に位置する。この状態で一対のＯリング係止部７３にＯリング７４を架け渡して係止すると、連結部７０ｃとＯリング７４で突出部１１ａを挟む形になるため、ヘッドキャップ７０はヘッド１１から外れなくなる。
【０１６８】
ワイヤ状のバネ５０Ｆは、全体が略Ｕ字状をなしていて、その中央部が、ヘッド１１の上面と第１係合部７０ａの間に架け渡される。この時、バネ５０Ｆは、第１係合部７０ａの内面（下面）に形成された窪み７０ａａに埋め込まれる形で保持されるので、バネ５０Ｆに下方から力が加わっても、それに耐えることができるし、位置がずれることもない。
【０１６９】
バネ５０Ｆの中央部がヘッド１１に係止されているため、バネ５０Ｆの弾性力に抗してガイドストッパー２０Ｂが上方に移動した時は、バネ５０Ｆは図８の場合と同様に外側に撓む。外力が作用しない限り、ガイドストッパー２０Ｂは常時、バネ５０Ｆにより図１６の初期状態に保持される。これは、上述した第１実施形態の装置１のガイドストッパー２０と同じである。
【０１７０】
本実施形態で使用されているガイドストッパー２０Ｂは、上述した第３実施形態の装置１Ｂのガイドストッパー２０Ｂと同じであるから、その説明は省略する。
【０１７１】
ガイドストッパー２０Ｂに対するバネ５０Ｆの係止方法は、図１６に示す通りである。すなわち、ワイヤ状のバネ５０Ｆは、その両端が略Ｕ字状に屈曲せしめられていて、ガイドストッパー２０Ｂに形成された略Ｕ字状の貫通孔に挿通・係止されている。こうすることで、バネ５０Ｆの端部付近は、図１６に波線で示したように、支障なく外側に撓むことができる。
【０１７２】
本第７実施形態に係る歯科用インプラント埋設穴形成補助装置１Ｆは、上述した第１実施形態の歯科用インプラント埋設穴形成補助装置１と同じ効果が得られることが明らかである。
【０１７３】
（第８実施形態）
図１８は、本発明の第８実施形態に係る歯科用インプラント埋設穴形成補助装置１Ｇの全体構成を示す。
【０１７４】
本実施形態に係るインプラント埋設穴形成補助装置１Ｇは、板状のバネ５０Ｇが、ドリル３０のシャンク３２に係止されている点を除き、上述した第３実施形態の装置１Ｂと同じ構成である。したがって、構成が同一の部分については、同一の構成要素には同一の符号を付してその説明を省略し、相違点のみについて説明する。
【０１７５】
上述した第３実施形態の装置１Ｂでは、バネ装着部材８０Ｂを使用してワイヤ状のバネ５０Ｂをヘッド１１の下面に装着（固定）していたが、本実施形態では、バネ装着部材８０Ｂを使用せず、図１９に示すように、屈曲させた板状のバネ５０Ｇを用いている。バネ５０Ｇは、略矩形の第１係合部５０Ｇａと、略矩形の第２係合部５０Ｇｂと、連結部５０Ｇｃとを有しており、全体形状がＺ字状になっている。
【０１７６】
第１係合部５０Ｇａには、ドリル３０のシャンク３２が挿通される円形の透孔５０Ｇｅが形成されており、その内部には同心状に円環状の磁石５０Ｇｄが装着されている。第２係合部５０Ｇｂには、シャンク３２が挿通される細長い透孔５０Ｇｆが形成されている。連結部５０Ｇｃには、シャンク３２が挿通される細長い透孔５０Ｇｇが形成されている。こうして、シャンク３２がバネ５０Ｇの全体を貫通できるようにしている。
【０１７７】
シャンク３２が、三つの透孔５０Ｇｅ、透孔５０ＧＦ及び透孔５０Ｇｇを貫通していることは、逆に、バネ５０Ｇがシャンク３２に係止されていることになるので、バネ５０Ｇは、図１８の状態で保持される。
【０１７８】
バネ５０Ｇの第１係合部５０Ｇａは、磁石５０Ｇｄの磁気吸引力によってヘッド１１の下面に係止・固定される。このため、バネ５０Ｇは、図１８の状態で安定して保持される。バネ５０Ｇの第２係合部５０Ｇｂは、ガイドストッパー２０Ｂの第１端面２０ａに当接する。
【０１７９】
バネ５０Ｇの弾性力に抗してガイドストッパー２０Ｂが上方に移動した時は、バネ５０Ｇは上下方向に撓み、第１係合部５０Ｇａと第２係合部５０Ｇｂの間の距離が短くなる。外力が作用しない限り、ガイドストッパー２０Ｂは常時、バネ５０Ｇにより図１８の初期状態に保持される。これは、上述した第１実施形態の装置１のガイドストッパー２０と同じである。
【０１８０】
本実施形態で使用されているガイドストッパー２０Ｂは、上述した第３実施形態の装置１Ｂのガイドストッパー２０Ｂと同じであるから、その説明は省略する。
【０１８１】
バネ５０Ｇは、ガイドストッパー２０Ｂに対して係止されていてもよいし、係止されていなくてもよい。第２係合部５０Ｇは、ガイドストッパー２０Ｂの第１端面２０ａに接触・押圧しているだけでよい。
【０１８２】
本第８実施形態に係る歯科用インプラント埋設穴形成補助装置１Ｇは、上述した第１実施形態の歯科用インプラント埋設穴形成補助装置１と同じ効果が得られることが明らかである。
【０１８３】
（ガイドストッパーの変形構成例１）
図２０は、本発明の歯科用インプラント埋設穴形成補助装置に使用可能なガイドストッパーとガイド部材の変形構成例を示す。
【０１８４】
図２０（ａ）のガイドストッパー２０Ｄは、外径が相対的に大きく内部に第１透孔２１が形成されたい円筒形の上部と、外径が相対的に小さく内部に第２透孔２２が形成された円筒形の下部とを有している。上部の外側面２０Ｄｃ１と、下部の外側面２０Ｄｃ２は、いずれもテーパーが付いていない、ストレートな面である。外側面２０Ｄｃ１と外側面２０Ｄｃ２には、テーパーが付いている方がガイド溝への挿入・係合は容易であるが、必ずしもテーパーは必要ではない。
【０１８５】
図２０（ａ）のガイドストッパー２０Ｄは、図２０（ｂ）のガイド部材１０１Ｂと共に使用される。ガイド部材１０１Ｂは、外径が相対的に大きく側面の一部が切欠された円筒形の上部と、外径が相対的に小さく側面の一部が切欠された円筒形の下部とを有している。下部には、開口量が相対的に小さい第１挿入口１０３Ｂが形成され、上部には、開口量が相対的に大きい第２挿入口１０４Ｂが形成されている。
【０１８６】
ガイドストッパー２０Ｄの下部の外側面２０Ｄｃ２の外径は、ガイド部材１０１Ｂの第２挿入口１０４Ｂを通過可能であるが、第１挿入口１０３Ｂは通過できない大きさである。このため、ガイドストッパー２０Ｄをガイド部材１０１Ｂにその側面方向から近づけて、外側面２０Ｄｃ２を第２挿入口１０４Ｂを介してガイド溝１０２Ｂに嵌入させることができる。その後、ガイド溝１０２Ｂの内部で外側面２０Ｄｃ２を下降させて、ガイド部材１０１Ｂの下部に嵌合させると、外側面２０Ｄｃ２は第１挿入口１０３Ｂを通過できないので、外側面２０Ｄｃ２が外れることはない。このため、ガイドストッパー２０Ｄの下部の外側面２０Ｄｃ２は、ガイド部材１０１Ｂの下部に嵌合し、ガイドストッパー２０Ｄの上部の外側面２０Ｄｃ１は、ガイド部材１０１Ｂの上部に嵌合する。このようにして、上述した第１実施形態と同様の効果が得られる。
【０１８７】
（ガイドストッパーの変形構成例２）
図２１は、本発明の歯科用インプラント埋設穴形成補助装置に使用可能なガイドストッパーとガイド部材の他の変形構成例を示す。
【０１８８】
図２１（ａ）のガイドストッパー２０Ｅは、外径が異なる四つの円筒形部分を持つ。最上部から最下部まで順に、外側面２０Ｅｃ１、外側面２０Ｅｃ２、外側面２０Ｅｃ３、外側面２０Ｅｃ４が形成されており、いずれもテーパーが付いていない、ストレートな面である。それらの大きさは、最上部の外側面２０Ｅｃ１が最大であり、三段目の外側面２０Ｅｃ３が最少である。二段目の外側面２０Ｅｃ２と最下部の外側面２０Ｅｃ４は、同じであり、外側面２０Ｅｃ１と外側面２０Ｅｃ３の間の大きさである。ガイドストッパー２０Ｅの内部には、一つの透孔２１Ｅがその全長にわたって形成されている。
【０１８９】
図２１（ａ）のガイドストッパー２０Ｅは、図２１（ｂ）のガイド部材１０１Ｃと共に使用される。ガイド部材１０１Ｃは、外径が一定であり、その側面の一部が切欠されていて、最下部から最上部まで順に、三つの挿入口が形成されている。すなわち、第１挿入口１０３Ｃ、第２挿入口１０４Ｃａ、第３挿入口１０４Ｃｂが、この順に形成されている。
【０１９０】
ガイドストッパー２０Ｅの最小サイズの外側面２０Ｅｃ３は、ガイド部材１０１Ｃの第３挿入口１０４Ｃｂを通過可能であるので、ガイドストッパー２０Ｅをガイド部材１０１Ｃにその側面方向から近づけて、外側面２０Ｅｃ３を第３挿入口１０４Ｃｂを介してガイド溝１０２Ｃに嵌入させることができる。その後、ガイド溝１０２Ｃの内部で外側面２０Ｅｃ２と２０Ｅｃ４を下降させて、ガイド部材１０１Ｃの下部に嵌合させると、外側面２０Ｅｃ２と２０Ｅｃ４は第１挿入口１０３Ｃと第３挿入口１０４ＣＢを通過できないので、外側面２０Ｅｃ２と２０Ｅｃ４が外れることはない。このため、ガイドストッパー２０Ｅの最上部（２０Ｅｃ１）と最小サイズの外側面２０Ｅｃ３以外の部分が、ガイド部材１０１Ｃに嵌合する。このようにして、上述した第１実施形態と同様の効果が得られる。
【０１９１】
（第９実施形態）
図２２は、本発明の第９実施形態に係る歯科用インプラント埋設穴形成補助装置１Ｈの全体構成を示す。
【０１９２】
本実施形態に係るインプラント埋設穴形成補助装置１Ｈは、ガイドストッパー２０に代えてガイドストッパー２０Ｆが設けられており、また、円筒形のバネ５０がドリル３０のシャンク３２ではなく、ガイドストッパー２０Ｆに形成されたバネ保持部２０Ｆａに係止されている点を除き、上述した第１実施形態の装置１と同じ構成である。したがって、構成が同一の部分については、同一の構成要素には同一の符号を付してその説明を省略し、相違点のみについて説明する。
【０１９３】
ガイドストッパー２０Ｆの中心には、全長にわたって、ドリル３０のシャンク３２が貫通する透孔２１Ｆが形成されており、上述した第１実施形態のインプラント埋設穴形成補助装置１のガイドストッパー２０のようにサイズの異なる第１透孔２１と第２透孔２２を有していない。これはガイドストッパー２０Ｆでバネ５０を受ける必要がないからである。
【０１９４】
ガイドストッパー２０Ｆに形成されたバネ保持部２０Ｆａは、連結部２０Ｆｂによってガイドストッパー２０Ｆの側面に接続されている。バネ保持部２０Ｆａは、シャンク３２に平行である。バネ保持部２０Ｆａの上端部は、バネ装着部材８０Ｃによって保持されている。
【０１９５】
バネ装着部材８０Ｃは、シャンク３２が挿通される透孔８１Ｃを有しており、透孔８１Ｃの内側には磁石８２Ｃが内蔵されている。バネ装着部材８０Ｃは、この磁石８２Ｃの吸引力によって、ヘッド１１の下面に固定されている。バネ装着部材８０Ｃは、バネ保持部２０Ｆａまで延在していて、その先端に係合部８３Ｃが形成されている。バネ保持部２０Ｆａの先端部（上端部）は、係合部８３Ｃに設けた透孔を貫通していて、係合部８３Ｃより上方の箇所に止めネジ８４Ｃが設けられている。止めネジ８４Ｃが係合部８３Ｃに当接することで、バネ保持部２０Ｆａひいてはガイドストッパー２０Ｆの落下が防止される。
【０１９６】
バネ５０の下端は、連結部２０Ｆｂに当接して支持され、バネ５０の上端は、係合部８３Ｃに当接して支持されている。バネ５０の弾性力に抗してガイドストッパー２０Ｆが上方に移動した時は、バネ５０Ｂは圧縮される。外力が作用しない限り、ガイドストッパー２０Ｆは常時、バネ５０により図２２の初期状態に保持される。これは、上述した第１実施形態の装置１のガイドストッパー２０と同じである。
【０１９７】
なお、本実施形態のインプラント埋設穴形成補助装置１Ｈの使用時には、バネ保持部２０Ｆａと連結部２０Ｆｂが、ガイド部材１０１の第１挿入口１０３と第２挿入口１０４を通過するように位置決されるので、バネ保持部２０Ｆａと連結部２０Ｆｂによって問題は生じない。
【０１９８】
本第９実施形態に係る歯科用インプラント埋設穴形成補助装置１Ｈは、上述した第１実施形態の歯科用インプラント埋設穴形成補助装置１と同じ効果が得られることが明らかである。
【０１９９】
（ガイドストッパーの変形構成例３）
図２３は、本発明の歯科用インプラント埋設穴形成補助装置に使用可能なガイドストッパーのさらに他の変形構成例を示す。
【０２００】
図２３のガイドストッパー２０Ｇは、上述した第１実施形態の歯科用インプラント埋設穴形成補助装置１で使用されたガイドストッパー２０の鍔部２４をなくし、代わりに突起ないし突条２４Ｇを設けたものに相当する。それ以外の構成は、ガイドストッパー２０と同じである。
【０２０１】
ガイドストッパー２０Ｇには、鍔部２４はないが、それと同じ位置に、円環状の小さな突起２４Ｇが形成されているので、ガイドストッパー２０Ｇの全体がガイド溝１０２を通り抜ける恐れはない。したがって、上述した第１実施形態と同様の効果が得られる。
【０２０２】
（ガイドストッパーの変形構成例４）
図２４は、本発明の歯科用インプラント埋設穴形成補助装置に使用可能なガイドストッパーのさらに他の変形構成例を示す。
【０２０３】
図２４のガイドストッパー２０Ｈは、上述した第１実施形態の歯科用インプラント埋設穴形成補助装置１で使用されたガイドストッパー２０の鍔部２４と切除面２０ｄをなくし、代わりに、鍔部２４の位置に突起２４Ｇを設け、さらに、下端に誘導面２０Ｈｃを追加したものに相当する。それ以外の構成は、ガイドストッパー２０と同じである。
【０２０４】
ガイドストッパー２０Ｈには、鍔部２４はないが、それと同じ位置に、円環状の小さな突起ないし突条２４Ｇが形成されているので、ガイドストッパー２０Ｇの全体がガイド溝を通り抜ける恐れはない。したがって、上述した第１実施形態と同様の効果が得られる。
【０２０５】
また、第２端面２０Ｂ及びガイド部材の第１及び第２挿入口より小さい外径を持つ誘導面２０Ｈｃが、下端に追加されており、ガイドストッパー２０Ｈをガイド部材に嵌入する際に誘導面２０Ｈｃを側方からガイド溝に係合する。よって、誘導面２０Ｈｃがない場合よりも、ガイドストッパー２０Ｈの嵌入が容易になる。
【０２０６】
さらに、誘導面２０Ｈｃの先端を骨表面に接触させることにより、ガイドストッパー２０Ｈはストッパとして機能させることができる。すなわち、骨表面の一部を選択して、所望の深度でインプラント埋設穴を形成することができる。この場合は、円環状の小さな突起ないし突条２４Ｇは省略し、ガイド部材のガイド溝を通り抜けるようにする方が、所望の深度を得るためには好都合である。
【０２０７】
（第１０実施形態）
図２７は、本発明の第１０実施形態に係る歯科用インプラント埋設穴形成補助装置の要部構成を示す。
【０２０８】
本実施形態に係るインプラント埋設穴形成補助装置は、ガイドストッパー２０に代えてガイドストッパー２０Ｉが設けられている。ガイドストッパー２０Ｉは、円筒形の外側面２０ｃを有しているが、その一部が切除されて切除面２０ｄが形成されていると共に、切除面２０ｄに隣接する位置に突起２０Ｉａが形成されている。突起２０Ｉａの内部には、磁石２９Ｉが埋め込まれている。それ以外の構成は、上述した第１実施形態に係る歯科用インプラント埋設穴形成補助装置１と同じである。
【０２０９】
本１０実施形態に係る歯科用インプラント埋設穴形成補助装置では、最初に、図２８（ａ）に示すように、ガイドストッパー２０Ｉの切除面２０ｄのある部分を、ガイド部材１０１Ｄの第１挿入口１０３に挿入する。この時、切除面２０ｄの向きを調節して、切除面２０ｄが第１挿入口１０３の開口面に直交するようにする。これは、切除面２０ｄがある部分の外径サイズが小さいため、こうすることで、第１挿入口１０３の挿通が最も容易になるからである。ガイドストッパー２０Ｉの切除面２０ｄがある部分の挿通動作は、ガイドストッパー２０Ｉの外側面２０ｃがガイド部材１０１Ｄの内側面に当接するまで行えばよい。
【０２１０】
その後、図２８（ｂ）に示すように、第１挿入口１０３Ｄを通ってガイド溝１０２Ｄの内部に入ったガイドストッパー２０Ｉを、ドリル３０の正回転方向に所定角度（例えば３０°程度）回動させると、突起２０Ｉａがガイド部材１０１Ｄの対向する端縁に当接し、回動が停止する。この時、突起２０Ｉａの内部に磁石２９Ｉが埋め込まれているので、突起２０Ｉａは当該端縁に対して容易に吸着することができる。その後、その状態のままでドリル３０を下方に移動させることで、インプラント埋設穴を形成するプロセスを実行できるようになる。
【０２１１】
（第１１実施形態）
図２９は、本発明の第１１実施形態に係る歯科用インプラント埋設穴形成補助装置の要部構成を示す。
【０２１２】
本実施形態に係るインプラント埋設穴形成補助装置は、ガイドストッパー２０に代えてガイドストッパー２０Ｊが設けられている。ガイドストッパー２０Ｊは、円筒形の外側面２０ｃを有しているが、その一部に係合部２５Ｊが突出形成されている。係合部２５Ｊは、外側面２０ｃと同心の円弧状である。それ以外の構成は、上述した第１実施形態に係る歯科用インプラント埋設穴形成補助装置１と同じである。
【０２１３】
ガイドストッパー２０Ｊと共に使用されるガイド部材１０１Ｅは、係合部２５Ｊがほぼ嵌合する形のガイド溝１０２Ｅを有している。
【０２１４】
本１１実施形態に係る歯科用インプラント埋設穴形成補助装置では、まず、図２９の右側の矢印で示すように、ガイドストッパー２０Ｊの係合部２５Ｊを第１挿入口１０３Ｅに挿入する。この時、係合部２５Ｊの向きを調節して、係合部２５Ｊが第１挿入口１０３Ｅの開口面に直交するようにする。係合部２５Ｊの挿通動作は、係合部２５Ｊの外側面がガイド部材１０１Ｅの内側面に当接するまで行えばよい。
【０２１５】
その後、図２９の左側の矢印で示すように、第１挿入口１０３Ｅを通ってガイド溝１０２Ｅの内部に入った係合部２５Ｊを、ドリル３０の正回転方向に所定角度（例えば２０〜３０°程度）回動させると、係合部２５Ｊの先端がガイド部材１０１Ｅの対向する端部に当接し、回動が停止する。その後、その状態のままでインプラント埋設穴を形成するプロセスを実行できるようになる。
【０２１６】
（第１２実施形態）
図３０は、本発明の第１２実施形態に係る歯科用インプラント埋設穴形成補助装置１Ｋの全体構成を示す。
【０２１７】
本実施形態に係るインプラント埋設穴形成補助装置１Ｋは、ガイドストッパー２０に代えてガイドストッパー２０Ｋが設けられている。ガイドストッパー２０Ｋは、内部にバネ５０を収容できるように、全体がガイドストッパー２０より長い円筒形になっている。ガイドストッパー２０Ｋは、同じく円筒形のバネ装着部材８０Ｄによってヘッド１１の下面に装着されている。バネ装着部材８０Ｄの上端には磁石８２Ｄが固着されており、バネ装着部材８０Ｄは、この磁石８２Ｄによる磁気吸引力によって固定されている。
【０２１８】
ガイドストッパー２０Ｋとバネ装着部材８０Ｄは、ガイドストッパー２０Ｋの上端に形成されたネジ部２８Ｋと、バネ装着部材８０Ｄの下端に形成されたネジ部８３Ｄとによって、互いに移動可能に係合している。すなわち、ガイドストッパー２０Ｋとバネ装着部材８０Ｄを相対的に回転させると、両者は図３０のように互いに移動可能に係合され、脱落しない。しかし、反対方向に回転させると、ガイドストッパー２０Ｋとバネ装着部材８０Ｄは互いに分離することができる。バネ５０は、このように分離した状態で、第１透孔２１の内部に配置される。それ以外の構成は、上述した第１実施形態に係る歯科用インプラント埋設穴形成補助装置１と同じである。
【０２１９】
本実施形態では、バネ装着部材８０Ｄの外側面に目盛りを入れることができる、ガイドストッパー２０Ｋとバネ装着部材８０Ｄの分離・組立が容易である、ガイドストッパー２０Ｋの内部にバネ５０が内蔵されて見えないため、歯科医師の操作に影響が出にくい、といった利点がある。
【０２２０】
（他の変形例）
上述した第１〜第１２実施形態は、本発明を具体化した例を示すものである。したがって、本発明はこの実施形態に限定されるものではなく、本発明の趣旨を外れることなく種々の変形が可能であることは言うまでもない。
【０２２１】
例えば、上述した実施形態では、ガイドストッパーの第１端面側に設けられた鍔部や突起の外径をガイド溝の直径より大きくすることで、ガイドストッパーの過剰の移動を防止しているが、本発明はこれに限定されない。前記鍔部や突起を設けずに、テーパー状の外側面の適当な箇所でその外径をガイド溝の直径より大きくしてもよい。この場合でも、ガイドストッパーの過剰な移動を防止できる。また、前記鍔部や突起を設けずに、ガイドストッパーの過剰な移動を許容するようにしてもよい。さらに、磁石はあってもなくてもよい。
【０２２２】
また、ガイドストッパーの外側面には、テーパーを付けてもよいし付けなくてもよい。この時、一緒に使用されるガイド部材のガイド溝には、テーパーを付けてもよいし付けなくてもよい。すなわち、ガイドストッパーの外側面にテーパーがある場合、これと一緒に使用されるガイド部材のガイド溝には、テーパーを付けてもよいし付けなくてもよい。また、ガイドストッパーの外側面にテーパーがない（ストレートである）場合、これと一緒に使用されるガイド部材のガイド溝には、テーパーを付けてもよいし付けなくてもよい。
また、スペーサを使用せず、ドリルのシャンクにドリル固定用のドリルストッパを設けてもよい。要は、ガイドストッパー（ひいてはドリル等の回転器具）がガイド部材のガイド溝によって的確に案内され、且つ、インプラント埋設穴が所望の最大深度を越えないものであればよい。
【０２２３】
さらに、上述した実施形態では、使用するドリル等の回転器具として、刃部の外径がシャンクより大きいものを使用しているが、刃部の外径がシャンクに等しいか、シャンクより小さいものも使用可能である。この場合、ドリル等の回転器具は、刃部やシャンクに、ガイド部材が当接する突起や突条などを有しているものを使用することも可能である。さらに、ガイドストッパーをハンドピースに保持できるようにして、ガイドストッパーが当接する突起や突条などがない、刃部の外径の小さなドリル等の回転器具を使用することも可能である。
【０２２４】
なお、上述した実施形態では、サージカルガイドのガイド部材として、側面に挿入口をガイド溝を有するものを使用しているが、側面に挿入口を持たないガイド孔を有するものも使用可能である。
【符号の説明】
【０２２５】
１、１Ａ、１Ｂ、１Ｃ、１Ｄ、１Ｅ、１Ｆ、１Ｇ、１Ｈ、１Ｋ  インプラント埋設穴形成補助装置
１０  ハンドピース
１１  ヘッド
１１ａ  突出部
１２  ネック
１３  給水部
１４  連結チューブ
２０  ガイドストッパー
２０ａ  第１端面
２０ｂ  第２端面
２０ｃ  外側面
２０ｄ  切除面
２０ｅ  支持面
２０Ａ  ガイドストッパー
２０Ａａ  第１端面
２０Ａｂ  第２端面
２０Ａｄ  切除面
２０Ｂ  ガイドストッパー
２０Ｂ  端面
２０Ｃ  ガイドストッパー
２０Ｄ  ガイドストッパー
２０Ｄｃ１  外側面
２０Ｄｃ２  外側面
２０Ｅ  ガイドストッパー
２０Ｅｃ１、２０Ｅｃ２、２０Ｅｃ３、２０Ｅｃ４  外側面
２０Ｆ  ガイドストッパー
２０Ｆａ  バネ保持部
２０Ｆｂ  連結部
２０Ｇ  ガイドストッパー
２０Ｈ  ガイドストッパー
２０Ｈｃ  誘導面
２１、２１Ａ、２１Ｂ、２１Ｅ、２１Ｆ  第１透孔
２２、２２Ａ  第２透孔
２３、２３Ａ  バネ受け面
２４  鍔部
２４Ｇ  突起（突条）
２５  磁石
２５Ａ  係合部
２５Ａａ  目盛り
２５Ａｂ  外側面
２６Ａ  本体部
２７Ａ  連結部
２８Ａ  ストッパー
２８Ｋ  ネジ部
２９Ａ  止めネジ
２９Ｉ  磁石
３０  ドリル
３１  刃部
３２  シャンク
３３  支持端
４０  スペーサ
４２  磁石
５０、５０Ａ、５０Ｂ、５０Ｃ、５０Ｄ、５０Ｅ、５０Ｆ、５０Ｇ  バネ
５０Ｇａ  係合部
５０Ｇｂ  係合部
５０Ｇｃ  連結部
５０Ｇｄ  磁石
５０Ｇｅ  透孔
５０Ｇｆ  透孔
５０Ｇｇ  透孔
５１Ｃ、５１Ｄ  係止部
６０、６０Ａ  バネ固定具
６１  Ｏリング
６２  Ｏリング係止部
６３  バネ挿通孔
７０  ヘッドキャップ
７０ａ  係合部
７０ｂ  係合部
７０ｃ  連結部
７１  磁石
７２  透孔
７３  Ｏリング係止部
７４  Ｏリング
８０Ｂ、８０Ｃ、８０Ｄ  バネ装着部材
８１、８１Ｃ  透孔
８２、８２Ｃ、８２Ｄ  磁石
８３Ｃ  係合部
８３Ｄ  ネジ部
８４Ｃ  止めネジ
１００、１００Ａ、１００Ｄ、１００Ｅ  サージカルガイド
１０１、１０１Ａ、１０１Ｂ、１０１Ｃ、１０１Ｄ、１０１Ｅ  ガイド部材
１０２、１０２Ａ、１０２Ｂ、１０２Ｃ、１０２Ｄ、１０２Ｅ  ガイド溝
１０３、１０３Ａ、１０３Ｂ、１０３Ｃ、１０３Ｄ、１０３Ｅ  第１挿入口
１０４、１０４Ａ、１０４Ｂ、１０４Ｃａ  第２挿入口
１０４Ｃｂ  第３挿入口
１０５、１０５Ａ  内側面
１０６、１０６Ａ  突出部
Ｂ  顎骨
Ｈ  インプラント埋設穴
Ｍ  粘膜
Ｘ  軸心
【図１】
2014168553.tif 000003
【図２】
2014168553.tif 000004
【図３Ａ】
2014168553.tif 000005
【図３Ｂ】
2014168553.tif 000006
【図４】
2014168553.tif 000007
【図５】
2014168553.tif 000008
【図６】
2014168553.tif 000009
【図７】
2014168553.tif 000010
【図８】
2014168553.tif 000011
【図９】
2014168553.tif 000012
【図１０】
2014168553.tif 000013
【図１１】
2014168553.tif 000014
【図１２Ａ】
2014168553.tif 000015
【図１２Ｂ】
2014168553.tif 000016
【図１３】
2014168553.tif 000017
【図１４Ａ】
2014168553.tif 000018
【図１４Ｂ】
2014168553.tif 000019
【図１５】
2014168553.tif 000020
【図１６】
2014168553.tif 000021
【図１７】
2014168553.tif 000022
【図１８】
2014168553.tif 000023
【図１９】
2014168553.tif 000024
【図２０】
2014168553.tif 000025
【図２１】
2014168553.tif 000026
【図２２】
2014168553.tif 000027
【図２３】
2014168553.tif 000028
【図２４】
2014168553.tif 000029
【図２５】
2014168553.tif 000030
【図２６】
2014168553.tif 000031
【図２７】
2014168553.tif 000032
【図２８】
2014168553.tif 000033
【図２９】
2014168553.tif 000034
【図３０】
2014168553.tif 000035